(57)【特許請求の範囲】
【請求項１】
生命保険に加入する被保険者が利用する被保険者端末と、前記被保険者に対して死亡保険金を支払う保険者が利用する保険者端末と、前記被保険者が意思の伝達を希望する家族がそれぞれ利用する家族端末と、前記被保険者を介護する介護者が利用する介護者端末と、に通信ネットワークを介して接続され、前記被保険者の意思の記録とその伝達を支援する装置であって、
前記保険者端末より、前記被保険者を特定する被保険者識別情報と、前記家族を特定する家族情報と、前記各家族への連絡先情報と、を含む依頼情報を受信する依頼情報受信手段、
前記依頼情報受信手段での依頼情報の受信に応じ、被保険者識別情報と、家族情報と、連絡先情報と、を互いに関連付けて記憶する第１記憶手段、
前記被保険者端末より、被保険者識別情報と、前記被保険者が家族へ伝えたいとする意思情報と、当該意思情報を伝える家族を特定して意思の公開範囲を特定する公開家族情報と、当該意思情報を伝える公開日時を指定する伝達時期情報と、を含む伝達意思情報を受信する伝達意思情報受信手段、
前記伝達意思情報受信手段での伝達意思情報の受信に応じ、被保険者識別情報と、意思情報と、公開家族情報と、伝達時期情報と、を互いに関連付けて記憶する第２記憶手段、
前記保険者端末より、被保険者識別情報と、前記被保険者が死亡した日時を特定する死亡時期情報と、を含む意思伝達実行情報を受信し、被保険者識別情報と関連付けて死亡時期情報を前記第２記憶手段に記憶する意思伝達実行情報受信手段、
前記意思伝達実行情報受信手段での意思伝達実行情報の受信に応じ、前記第１記憶手段を参照して被保険者識別情報に基づき家族情報と連絡先情報を特定し、前記被保険者が家族へ伝えたいとする意思情報が登録されていることを知らせると共に、前記意思情報を開示するための申し込みを促す旨の第１のメッセージを生成し、当該第１のメッセージを前記連絡先情報に基づき前記家族端末へ送信する意思開示申込情報処理手段、
前記意思開示申込情報処理手段での第１のメッセージの送信に応じ、前記家族端末より、前記家族が前記被保険者の残した意思情報の確認のための申し込みに合意する第２のメッセージを受信し、家族識別情報を発行すると共に、当該家族識別情報を前記家族端末へ通知し、さらに、前記第１記憶手段を参照して第２のメッセージの送信元情報より家族情報を特定し、前記家族識別情報を、前記家族情報に関連付けて前記第１記憶手段に記憶する意思公開家族登録手段、
前記介護者端末より、被保険者識別情報と、前記介護者が前記被保険者を介護した日時、前記介護者が介護の際に前記被保険者と交わした会話内容、を含む介護日誌内容を伝える介護情報と、を含む被保険者介護情報を受信する介護情報受信手段、
前記介護情報受信手段での被保険者介護情報の受信に応じ、被保険者識別情報と、介護情報と、を互いに関連付けて記憶する第３記憶手段、
時間を計時する計時手段、
前記意思公開家族登録手段での家族識別情報の登録後、前記家族端末より、家族識別情報を含む被保険者意思公開要求を受信し、前記計時手段を参照して現在日時を特定した後、前記第１記憶手段を参照して前記家族識別情報に基づき被保険者識別情報と家族情報を特定し、引き続き前記第２記憶手段を参照して特定した前記被保険者識別情報に基づき意思情報を特定すると共に、特定した前記家族情報に基づき意思情報を特定し、さらに、特定した前記現在日時と、伝達時期情報において指定された公開日時と、を比較して前記意思情報の公開可否を判断し、前記公開日時が前記現在日時前であって公開可と判断した意思情報だけを抽出し、さらに、前記第１記憶手段を参照して前記家族識別情報に基づき被保険者識別情報と家族情報を特定し、引き続き前記第３記憶手段を参照して特定した前記被保険者識別情報に基づき介護情報を抽出し、当該抽出した意思情報と介護情報を前記家族端末へ送信する意思情報開示手段、
を少なくとも有することを特徴とする被保険者意思記録伝達装置。
【発明の詳細な説明】
【技術分野】
【０００１】
本発明は、残された人生の最期の時を充実できるように支援すると共に、本人の死後は本人の意思に沿って子々孫々まで力づけられるように支援する技術を提供するものであり、詳しくは、生命保険の被保険者の意思を記録し、その意思を家族へ効果的に伝達することで、人生の最期を迎えた本人と残された家族との強い繋がりを維持するようにした被保険者意思記録伝達装置と被保険者意思記録伝達方法、及び被保険者意思記録伝達プログラムに関するものである。
【背景技術】
【０００２】
われわれ人間が人生において避けて通れないものとして死がある。人生の最期を迎えた本人にとっては、自分が個の世に生きた証を様々な形で残したい、残された家族を大切にしたい、といった思いがある。一方、残される家族にとっては、本人がなくなった後もずっと忘れないでいたい、本人の生前の意志を何らかの形で引き継ぎたい、といった思いがある。
【０００３】
そこで、人生の最期を安心して過ごせるようにケアする従来のサービスとして、病院やホスピスによるターミナルケアや、銀行等による遺言信託、生命保険会社による死亡保険や介護保険、葬祭企業等による生前葬、等がある。また、死後において故人を偲ぶものとして、お墓参りや年忌法要がある。
【０００４】
ところが、従来の各サービスでは、本人の想いが家族に伝わりにくい、本人の存在が本人の死後に形となって残りにくい、本人の意思の実行が担保されない、といった問題があり、本人と家族との繋がりを意識することができない。
【０００５】
また、本人の死後において、故人と残された家族との繋がりを意識するものとして家系図があり、このような家系図を効率良く作成するようにした手段がいくつか提案されている（特許文献１乃至４参照）。
【０００６】
しかしながら、上述した特許文献１乃至４に記載の手段では、故人と残された家族との繋がりは意識できるものの、残された人生の最期の時を充実できるように支援したり、本人の死後は本人の意思に沿って子々孫々まで力づけられるように支援したりするものではない。
【０００７】
このように、残された人生の最期の時を充実できるように支援すると共に、本人の死後は本人の意思に沿って子々孫々まで力づけられるように支援し、人生の最期を迎えた本人と残された家族との強い繋がりを維持することで、避けて通れない人生の最期を安心して過ごせるようにケアできる手段は現在まで何ら提案されていない。
【特許文献１】特開平１０−２５０２６１号公報
【特許文献２】特開２００１−４３２７１号公報
【特許文献３】特開２００２−１５０５７号公報
【特許文献４】特開２００４−２９５６４８号公報
【発明の開示】
【発明が解決しようとする課題】
【０００８】
本発明は、上記事情に鑑みて成されたものであり、残された人生の最期の時を充実できるように支援すると共に、本人の死後は本人の意思に沿って子々孫々まで力づけられるように支援する仕組みを提供することを目的とする。
【課題を解決するための手段】
【０００９】
本発明の被保険者意思記録伝達装置は、生命保険に加入する被保険者が利用する被保険者端末と、前記被保険者に対して死亡保険金を支払う保険者が利用する保険者端末と、前記被保険者が意思の伝達を希望する家族がそれぞれ利用する家族端末と、に通信ネットワークを介して接続され、前記被保険者の意思の記録とその伝達を支援する装置であって、前記保険者端末より、前記被保険者を特定する被保険者識別情報と、前記家族を特定する家族情報と、前記各家族への連絡先情報と、を含む依頼情報を受信する依頼情報受信手段、前記依頼情報受信手段での依頼情報の受信に応じ、被保険者識別情報と、家族情報と、連絡先情報と、を互いに関連付けて記憶する第１記憶手段、前記被保険者端末より、被保険者識別情報と、前記被保険者が家族へ伝えたいとする意思情報と、当該意思情報を伝える家族を特定して意思の公開範囲を特定する公開家族情報と、当該意思情報を伝える公開日時を指定する伝達時期情報と、を含む伝達意思情報を受信する伝達意思情報受信手段、前記伝達意思情報受信手段での伝達意思情報の受信に応じ、被保険者識別情報と、意思情報と、公開家族情報と、伝達時期情報と、を互いに関連付けて記憶する第２記憶手段、前記保険者端末より、被保険者識別情報と、前記被保険者が死亡した日時を特定する死亡時期情報と、を含む意思伝達実行情報を受信し、被保険者識別情報と関連付けて死亡時期情報を前記第２記憶手段に記憶する意思伝達実行情報受信手段、前記意思伝達実行情報受信手段での意思伝達実行情報の受信に応じ、前記第１記憶手段を参照して被保険者識別情報に基づき家族情報と連絡先情報を特定し、前記被保険者が家族へ伝えたいとする意思情報が登録されていることを知らせると共に、前記意思情報を開示するための申し込みを促す旨の第１のメッセージを生成し、当該第１のメッセージを前記連絡先情報に基づき前記家族端末へ送信する意思開示申込情報処理手段、前記意思開示申込情報処理手段での第１のメッセージの送信に応じ、前記家族端末より、前記家族が前記被保険者の残した意思情報の確認のための申し込みに合意する第２のメッセージを受信し、家族識別情報を発行すると共に、当該家族識別情報を前記家族端末へ通知し、さらに、前記第１記憶手段を参照して第２のメッセージの送信元情報より家族情報を特定し、前記家族識別情報を、前記家族情報に関連付けて前記第１記憶手段に記憶する意思公開家族登録手段、時間を計時する計時手段、前記意思公開家族登録手段での家族識別情報の登録後、前記家族端末より、家族識別情報を含む被保険者意思公開要求を受信し、前記計時手段を参照して現在日時を特定した後、前記第１記憶手段を参照して前記家族識別情報に基づき被保険者識別情報と家族情報を特定し、引き続き前記第２記憶手段を参照して特定した前記被保険者識別情報に基づき意思情報を特定すると共に、特定した前記家族情報に基づき意思情報を特定し、さらに、特定した前記現在日時と、伝達時期情報において指定された公開日時と、を比較して前記意思情報の公開可否を判断し、前記公開日時が前記現在日時前であって公開可と判断した意思情報だけを抽出し、当該意思情報を前記家族端末へ送信する意思情報開示手段、を少なくとも有することを特徴とする。
【００１０】
また、本発明の被保険者意思記録伝達装置は、前記依頼情報受信手段が、前記被保険者と前記家族との関係示す続柄情報をさらに含む依頼情報を受信し、前記第１記憶手段が、家族情報と関連付けて続柄情報をさらに記憶し、前記家族端末より、前記被保険者意思公開要求を受信したとき、前記第１記憶手段を参照し、特定した被保険者識別情報と家族情報に基づき続柄情報を特定し、被保険者を基準として前記続柄情報に基づいて家族情報を関連付けて一覧表示した家系図情報を生成し、当該家系図情報を前記家族端末へ送信する家系図情報開示手段、をさらに有する。
【００１１】
また、本発明の被保険者意思記録伝達装置は、前記意思公開家族登録手段での家族識別情報の登録後、一定時間ごとに前記計時手段を参照して現在日時を特定し、引き続き、前記第２記憶手段を参照して、前記現在日時と、伝達時期情報において指定された公開日時、もしくは死亡時期情報を基準として伝達時期情報において指定された公開日時と、を比較して意思情報の公開可否を判断し、前記公開日時が前記現在日時と一致する意思情報があった場合、当該意思情報に基づいて被保険者識別情報と家族情報を特定し、引き続き前記第１記憶手段を参照して特定した前記被保険者識別情報と前記家族情報に基づき連絡先情報を特定し、前記被保険者が伝えたいとする意思情報の公開時期が来たことを知らせる第３のメッセージを生成し、当該第３のメッセージを前記連絡先情報に基づき前記家族端末へ送信する意思情報公開時期通知手段、をさらに有する。
【００１２】
また、本発明の被保険者意思記録伝達装置は、前記被保険者を介護する介護者が利用する介護者端末と通信ネットワークを介してさらに接続され、前記介護者端末より、被保険者識別情報と、前記介護者が前記被保険者を介護した日時、前記介護者が介護の際に前記被保険者と交わした会話内容、を含む介護日誌内容を伝える介護情報と、を含む被保険者介護情報を受信する介護情報受信手段、前記介護情報受信手段での被保険者介護情報の受信に応じ、被保険者識別情報と、介護情報と、を互いに関連付けて記憶する第３記憶手段、前記家族端末より、家族識別情報を含む被保険者意思公開要求を受信したとき、前記第１記憶手段を参照して前記家族識別情報に基づき被保険者識別情報と家族情報を特定し、引き続き前記第３記憶手段を参照して特定した前記被保険者識別情報に基づき介護情報を抽出し、当該介護情報を前記家族端末へ送信する介護情報開示手段、をさらに有する。
【００１３】
また、本発明の被保険者意思記録伝達装置は、前記被保険者と電子メールによって会話を行う話し相手が利用する話し相手端末と通信ネットワークを介してさらに接続され、
前記被保険者端末より、被保険者識別情報と、話し相手を特定する話し相手情報と、前記被保険者が前記話し相手へ伝える第１の用件情報と、を含む第１の会話情報を受信し、当該第１の会話情報を前記話し相手端末へ送信すると共に、前記話し相手端末より、前記被保険者識別情報と、前記話し相手情報と、前記話し相手が前記被保険者へ伝える第２の用件情報と、を含む第２の会話情報を受信し、当該第２の会話情報を前記被保険者端末へ送信する会話情報処理手段、前記会話情報処理手段での第１の会話情報の受信に応じ、被保険者識別情報と、話し相手情報と、第１の用件情報と、を互いに関連付けて記憶する第４記憶手段、前記会話情報処理手段での第２の会話情報の受信に応じ、被保険者識別情報と、話し相手情報と、第２の用件情報と、を互いに関連付けて記憶する第５記憶手段、前記家族端末より、家族識別情報を含む会話情報公開要求を受信したとき、前記第１記憶手段を参照して前記家族識別情報に基づき被保険者識別情報を特定し、引き続き前記第４記憶手段を参照して特定した前記被保険者識別情報に基づき第１の会話情報を抽出すると共に、前記第５記憶手段を参照して特定した前記被保険者識別情報に基づき第２の会話情報を抽出し、第１の会話情報及び第２の会話情報を前記家族端末へ送信する会話情報開示手段、をさらに有する。
【００１４】
さらに、本発明の被保険者意思記録伝達装置は、前記被保険者端末より、第１の会話情報及び第２の会話情報の公開可否又は公開先を制限する公開制限情報を受信する公開制限情報受信手段、前記公開制限情報受信手段での公開制限情報の受信に応じ、前記第１の会話情報に関連付けて公開制限情報を前記第４記憶手段に記憶すると共に、前記第２の会話情報に関連付けて公開制限情報を前記第５記憶手段に記憶する公開制限情報処理手段、
をさらに有し、前記会話情報開示手段が、前記公開制限情報に基づいて第１の会話情報及び第２の会話情報の抽出を行うものとしても良い。
【００１５】
また、本発明の被保険者意思記録伝達方法は、生命保険に加入する被保険者が利用する被保険者端末と、前記被保険者に対して死亡保険金を支払う保険者が利用する保険者端末と、前記被保険者が意思の伝達を希望する家族がそれぞれ利用する家族端末と、に通信ネットワークを介して接続され、前記被保険者の意思の記録とその伝達を支援する方法であって、依頼情報受信手段が、前記保険者端末より、前記被保険者を特定する被保険者識別情報と、前記家族を特定する家族情報と、前記各家族への連絡先情報と、を含む依頼情報を受信するステップ、第１記憶手段が、前記依頼情報受信手段での依頼情報の受信に応じ、被保険者識別情報と、家族情報と、連絡先情報と、を互いに関連付けて記憶するステップ、伝達意思情報受信手段が、前記被保険者端末より、被保険者識別情報と、前記被保険者が家族へ伝えたいとする意思情報と、当該意思情報を伝える家族を特定して意思の公開範囲を特定する公開家族情報と、当該意思情報を伝える公開日時を指定する伝達時期情報と、を含む伝達意思情報を受信するステップ、第２記憶手段が、前記伝達意思情報受信手段での伝達意思情報の受信に応じ、被保険者識別情報と、意思情報と、公開家族情報と、伝達時期情報と、を互いに関連付けて記憶するステップ、意思伝達実行情報受信手段が、前記保険者端末より、被保険者識別情報と、前記被保険者が死亡した日時を特定する死亡時期情報と、を含む意思伝達実行情報を受信するステップ、意思伝達実行情報受信手段が、前記意思伝達実行情報の受信に応じ、被保険者識別情報と関連付けて死亡時期情報を前記第２記憶手段に記憶するステップ、意思開示申込情報処理手段が、前記意思伝達実行情報受信手段での意思伝達実行情報の受信に応じ、前記第１記憶手段を参照して被保険者識別情報に基づき家族情報と連絡先情報を特定し、前記被保険者が家族へ伝えたいとする意思情報が登録されていることを知らせると共に、前記意思情報を開示するための申し込みを促す旨の第１のメッセージを生成し、当該第１のメッセージを前記連絡先情報に基づき前記家族端末へ送信するステップ、意思公開家族登録手段が、前記意思開示申込情報処理手段での第１のメッセージの送信に応じ、前記家族端末より、前記家族が前記被保険者の残した意思情報の確認のための申し込みに合意する第２のメッセージを受信するステップ、意思公開家族登録手段が、前記第２のメッセージの受信に伴い家族識別情報を発行するステップ、意思公開家族登録手段が、当該家族識別情報を前記家族端末へ通知するステップ、意思公開家族登録手段が、前記家族識別情報の発行後、前記第１記憶手段を参照して第２のメッセージの送信元情報より家族情報を特定し、前記家族識別情報を前記家族情報に関連付けて前記第１記憶手段に記憶するステップ、意思情報開示手段が、前記意思公開家族登録手段での家族識別情報の登録後、前記家族端末より、家族識別情報を含む被保険者意思公開要求を受信するステップ、意思情報開示手段が、前記被保険者意思公開要求の受信に応じ、時間を計時する計時手段を参照して現在日時を特定するステップ、意思情報開示手段が、前記第１記憶手段を参照して前記家族識別情報に基づき被保険者識別情報と家族情報を特定するステップ、意思情報開示手段が、引き続き前記第２記憶手段を参照して特定した前記被保険者識別情報に基づき意思情報を特定すると共に、特定した前記家族情報に基づき意思情報を特定するステップ、意思情報開示手段が、さらに、特定した前記現在日時と、伝達時期情報において指定された公開日時と、を比較して前記意思情報の公開可否を判断し、前記公開日時が前記現在日時前であって公開可と判断した意思情報だけを抽出するステップ、意思情報開示手段が、前記抽出した意思情報を前記家族端末へ送信するステップ、を少なくとも有することを特徴とする。
【００１６】
また、本発明の被保険者意思記録伝達プログラムは、生命保険に加入する被保険者が利用する被保険者端末と、前記被保険者に対して死亡保険金を支払う保険者が利用する保険者端末と、前記被保険者が意思の伝達を希望する家族がそれぞれ利用する家族端末と、に通信ネットワークを介して接続され、前記被保険者の意思の記録とその伝達を支援することを実行させるためにコンピュータを、前記保険者端末より、前記被保険者を特定する被保険者識別情報と、前記家族を特定する家族情報と、前記各家族への連絡先情報と、を含む依頼情報を受信する手段、前記依頼情報の受信に応じ、被保険者識別情報と、家族情報と、連絡先情報と、を互いに関連付けて第１記憶手段に記憶する手段、前記被保険者端末より、被保険者識別情報と、前記被保険者が家族へ伝えたいとする意思情報と、当該意思情報を伝える家族を特定して意思の公開範囲を特定する公開家族情報と、当該意思情報を伝える公開日時を指定する伝達時期情報と、を含む伝達意思情報を受信する手段、前記伝達意思情報の受信に応じ、被保険者識別情報と、意思情報と、公開家族情報と、伝達時期情報と、を互いに関連付けて第２記憶手段に記憶する手段、前記保険者端末より、被保険者識別情報と、前記被保険者が死亡した日時を特定する死亡時期情報と、を含む意思伝達実行情報を受信し、被保険者識別情報と関連付けて死亡時期情報を前記第２記憶手段に記憶する手段、前記意思伝達実行情報の受信に応じ、前記第１記憶手段を参照して被保険者識別情報に基づき家族情報と連絡先情報を特定し、前記被保険者が家族へ伝えたいとする意思情報が登録されていることを知らせると共に、前記意思情報を開示するための申し込みを促す旨の第１のメッセージを生成し、当該第１のメッセージを前記連絡先情報に基づき前記家族端末へ送信する手段、前記第１のメッセージの送信に応じ、前記家族端末より、前記家族が前記被保険者の残した意思情報の確認のための申し込みに合意する第２のメッセージを受信し、家族識別情報を発行すると共に、当該家族識別情報を前記家族端末へ通知し、さらに、前記第１記憶手段を参照して第２のメッセージの送信元情報より家族情報を特定し、前記家族識別情報を前記家族情報に関連付けて前記第１記憶手段に記憶する手段、前記家族識別情報の登録後、前記家族端末より、家族識別情報を含む被保険者意思公開要求を受信し、時間を計時する計時手段を参照して現在日時を特定した後、前記第１記憶手段を参照して前記家族識別情報に基づき被保険者識別情報と家族情報を特定し、引き続き前記第２記憶手段を参照して特定した前記被保険者識別情報に基づき意思情報を特定すると共に、特定した前記家族情報に基づき意思情報を特定し、さらに、特定した前記現在日時と、伝達時期情報において指定された公開日時と、を比較して前記意思情報の公開可否を判断し、前記公開日時が前記現在日時前であって公開可と判断した意思情報だけを抽出し、当該意思情報を前記家族端末へ送信する手段、として機能させることを特徴とする。
【発明の効果】
【００１７】
本発明の被保険者意思記録伝達装置によれば、生命保険の加入者に対して死亡保険金を支払う生命保険会社が利用する保険者端末より依頼情報を受信することで、前記加入者が家族へ伝えたいとする意志情報の記録を可能とし、前記加入者が利用する被保険者端末より伝達意志情報を受信することで、前記意志情報の記録を行う。その後、加入者の死亡に伴って保険者端末より意志伝達実行情報を受信し、残された家族に対して、加入者が家族へ伝えたいとする意志情報が登録されていること等を知らせる。そして、家族がそれぞれ利用する家族端末より加入者意志公開要求を受信することで、加入者が残した意思情報の中から、家族や時間を考慮して公開可能な意志情報だけを抽出し、家族端末へ送信する。
ゆえに、生命保険の被保険者の意思を記録し、その意思を家族へ効果的に伝達することができ、人生の最期を迎えた本人と残された家族との強い繋がりを維持することができる。
したがって、残された人生の最期の時を充実できるように支援すると共に、本人の死後は本人の意思に沿って子々孫々まで力づけられるように支援する仕組みを提供することができる。
【発明を実施するための最良の形態】
【００１８】
以下、図面を参照しながら、本発明に係る被保険者意思記録伝達装置、被保険者意思記録伝達方法、及び被保険者意思記録伝達プログラムの一例について説明する。
図１は、本発明においての実施の形態に係る被保険者意思記録伝達方法（以下、「本方法」という。）を実施するための被保険者意思記録伝達システム（以下、「本システム」という。）を概略的に示す全体構成図である。また、図２及び図３は、本発明に係る被保険者意思記録伝達装置（以下、「本サーバ」という）を用いた本システムの実施形態の一例を示すブロック図であり、符号１０は本サーバを示す。
【００１９】
図１に示すように、本サーバ１０は、生命保険の加入者が利用する被保険者端末３０と、加入者に対して死亡保険金を支払う生命保険会社が利用する保険者端末４０と、加入者が意志の伝達を希望する家族がそれぞれ利用する家族端末５０と、に通信ネットワークＮＷを介して接続された装置である。
また、本サーバ１０は、加入者を介護する介護者が利用する介護者端末６０、又は加入者と電子メールによって会話を行う話し相手が利用する話し相手端末７０と通信ネットワークＮＷを介してさらに接続された装置である。
【００２０】
通信ネットワークＮＷの例としては、インターネットやＬＡＮ（Local Area Network）等のコンピュータ通信網がある。本サーバ１０及び、被保険者端末３０、保険者端末４０、家族端末５０、介護者端末６０、及び話し相手端末７０は、専用回線、公衆交換電話網（ＰＳＴＮ）、無線電話網、ＣＡＴＶ網、衛星通信網等、その他の通信回線を介して通信ネットワークＮＷと接続している。
【００２１】
被保険者端末３０、保険者端末４０、家族端末５０、介護者端末６０、及び話し相手端末７０は、共に本サーバ１０と情報の送受信が可能な情報処理装置であればよく、たとえば、パーソナルコンピュータをはじめ、データ通信機能を有するＰＤＡ（Personal Digital Assistant）や携帯電話機等で実現される。
これら被保険者端末３０、保険者端末４０、家族端末５０、介護者端末６０、及び話し相手端末７０は、図示しないが、ＣＰＵ（中央処理装置）、プログラム記憶部、マウスやキーボード又はキーボタン等の入力装置、ディスプレイ等の出力装置、ＯＳ（オペレーティング・システム）、ＷＷＷブラウザ、等を有する。
【００２２】
次に、本サーバ１０の構成について説明する。
本サーバ１０は、図２及び図３に示すように、基本的に、依頼情報データベース（ＤＢ）１と、伝達意思情報データベース（ＤＢ）２と、依頼情報受信部１１と、伝達意思情報受信部１２と、意思伝達実行情報受信部１３と、意思開示申込情報処理部１４と、意思公開家族登録部１５と、意思情報開示部１６と、計時部Ｔと、を少なくとも有している。また、本サーバ１０は、必要に応じて、家系図情報開示部１７を有するものとしても良い。また、本サーバ１０は、意思情報公開時期通知部１８を有するものとしても良い。また、本サーバ１０は、介護情報データベース（ＤＢ）３と、介護情報受信部１９と、介護情報開示部２０とを有するものとしても良い。また、本サーバ１０は、第１の会話情報データベース（ＤＢ）４と、第２の会話情報データベース（ＤＢ）５と、会話情報処理部２１と、会話情報開示部２２とを有するものとしても良い。さらに、本サーバ１０は、公開制限情報受信部２３と、公開制限情報処理部２４とを有するものとしても良い。
【００２３】
これらの機能ブロックは、本サーバ１０が保持するＣＰＵ（中央処理装置）やプログラム記憶部等により構成することができる。ＣＰＵは、プログラム記憶部に記憶されたプログラムに従い、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。
【００２４】
なお、本サーバ１０では、本発明に係る被保険者意思記録伝達プログラム（以下、「本プログラム」という。）を実行することで、以下に説明する本方法を実現する。
また、本プログラムを記録したコンピュータ読取可能な記録媒体（以下、「本記録媒体」という。）を用いれば、図示しないコンピュータを本サーバ１０と同様に機能させることができる。すなわち、図示しないコンピュータが、本記録媒体から本プログラムを読み取り、それを実行することで、本方法を実現することができる。
【００２５】
依頼情報ＤＢ１は、生命保険の加入者である被保険者を特定する被保険者識別情報（以下、「被保険者ＩＤ」という。）と、家族情報と、各家族への連絡先情報と、を互いに関連付けて記憶する手段である。
この家族情報とは、被保険者の家族を特定する情報をいい、たとえば望ましい家族情報として、家族の名前（本名）を挙げることができる。また、家族情報には、血縁や婚姻に関係なく、被保険者が家族と認識している人物を特定することが可能な情報を含めることもできる。なお、この家族情報は、実際の本名でない愛称や通称、識別番号等でも良いが、その場合は、後日連絡を取る際に支障がないと共に、連絡を受けた家族が自分であることを認識できるようにしておく。
また、連絡先情報は、被保険者が指定した家族と個々に連絡が取れる情報が望ましく、たとえば各家族が取得した電子メールアドレスや携帯電話番号を挙げることができる。
【００２６】
また、依頼情報ＤＢ１は、家族情報と関連付けて家族ＩＤをさらに記憶する機能を有している。
この家族ＩＤは、被保険者が指定した家族にそれぞれ割り振られるものであり、後述する所定の行為によって個々の家族に発行されるものである。
【００２７】
さらに、依頼情報ＤＢ１は、家族情報と関連付けて続柄情報をさらに記憶する機能を有している。
この続柄情報とは、被保険者を基準とした関係によって個人が特定できる区分けをいい、たとえば配偶者や夫又は妻、父や母、子、孫といった表現を挙げることができる。また、続柄情報は、子の場合は長男、次男（二男）、長女、次女（二女）といったように詳細に区分けしても良い。さらに、上述した家族情報において、血縁や婚姻に関係なく被保険者が家族と認識している人物を指定した場合は、先生や師匠、弟子、教え子、といった区分けでも良い。
【００２８】
図４は、依頼情報ＤＢ１に記憶されている情報の例を示す図である。
たとえば、図４に示す依頼情報データベースでは、被保険者ＩＤをインデックスとして、家族情報と、続柄情報と、家族ＩＤと、連絡先情報と、を１レコードとしてデータベースを構成することを示している。
【００２９】
伝達意思情報ＤＢ２は、被保険者ＩＤと、意思情報と、公開家族情報と、伝達時期情報と、を互いに関連付けて記憶する手段である。
この意思情報とは、被保険者が家族へ伝えたいとする思いや考え、メッセージ等の情報をいう。
また、公開家族情報とは、意思情報を伝える家族を特定して意思の公開範囲を特定する情報をいい、依頼情報ＤＢ１において家族情報として記憶された情報と同様となる。したがって、公開家族情報は、たとえば配偶者や夫又は妻、長男、次男（二男）、長女、次女（二女）といった個別に特定した表現の他、子、孫、みんな、といった包括的に特定した表現でも良い。
さらに、伝達時期情報とは、意思情報を伝える公開日時を指定する情報をいい、たとえば具体的に何年何月何日と指定する表現であっても良いし、自分の死後何日後又は何年後といった表現でも良い。
【００３０】
また、伝達意思情報ＤＢ２は、被保険者ＩＤと関連付けて死亡時期情報をさらに記憶する機能を有している。
この死亡時期情報は、生命保険に加入する被保険者の死亡年月日をいい、被保険者の死後、その遺族（家族）より、生命保険会社等の保険者に対して申請された死亡保険金支払要求に応じて、保険者が遺族より取得する情報をいう。
【００３１】
図５は、伝達意思情報ＤＢ２に記憶されている情報の例を示す図である。
たとえば、図５に示す伝達意思情報データベースでは、被保険者ＩＤをインデックスとして、意思情報と、公開家族情報と、伝達時期情報と、死亡時期情報と、を１レコードとしてデータベースを構成することを示している。
【００３２】
介護情報ＤＢ３は、被保険者ＩＤと、介護情報と、を互いに関連付けて記憶する手段である。
この介護情報とは、被保険者を介護する介護者が、介護の際に生前の被保険者と交わした会話内容及び介護した日時等を伝える介護情報をいい、たとえば介護者が勤務上の介護日誌として記録したものをいう。
【００３３】
図６は、介護情報ＤＢ３に記憶されている情報の例を示す図である。
たとえば、図６に示す介護情報データベースでは、被保険者ＩＤをインデックスとして、介護情報を１レコードとしてデータベースを構成することを示している。
【００３４】
第１の会話情報ＤＢ４は、被保険者ＩＤと、話し相手情報と、第１の用件情報と、を互いに関連付けて記憶する手段である。
この話し相手情報は、被保険者による電子メールの送信先（宛先）を特定することが可能な情報をいい、たとえば電子メールアドレスや、話し相手の氏名（名称）、話し相手識別情報（以下、「話し相手ＩＤ」という。）をいう。
【００３５】
また、第１の会話情報ＤＢ４は、第１の会話情報に関連付けて公開制限情報を記憶する機能を有している。
この公開制限情報は、会話ごとに公開可否を指定したり、会話ごとに公開先（公開許可家族）を指定したり、又は話し相手単位で公開可否を指定したりする情報をいい、たとえば会話ごとに公開可否を指定する公開可フラグ情報又は公開不可フラグ情報、会話ごとに公開先を指定する家族情報、もしくは話し相手単位で公開可否を指定する公開可フラグ情報又は公開不可フラグ情報をいう。
【００３６】
図７は、第１の会話情報ＤＢ４に記憶されている情報の例を示す図である。
たとえば、図７に示す第１の会話情報データベースでは、被保険者ＩＤをインデックスとして、話し相手情報、第１の用件情報、公開制限情報を１レコードとしてデータベースを構成することを示している。
【００３７】
第２の会話情報ＤＢ５は、被保険者ＩＤと、話し相手情報と、第２の用件情報と、を互いに関連付けて記憶する手段である。
この話し相手情報は、被保険者に対する電子メールの送信元（送信者）を特定することが可能な情報をいい、たとえば電子メールアドレスや、話し相手の氏名（名称）、話し相手ＩＤをいう。
【００３８】
また、第２の会話情報ＤＢ５は、第２の会話情報に関連付けて公開制限情報を記憶する機能を有している。
この公開制限情報は、第１の会話情報ＤＢ４において記憶する公開制限情報と同じである。
【００３９】
図８は、第２の会話情報ＤＢ５に記憶されている情報の例を示す図である。
たとえば、図８に示す第２の会話情報データベースでは、被保険者ＩＤをインデックスとして、話し相手情報、第２の用件情報、公開制限情報を１レコードとしてデータベースを構成することを示している。
【００４０】
計時部Ｔは、時間を計時する処理を行なう手段である。
【００４１】
依頼情報受信部１１は、保険者端末３０より、被保険者を特定する被保険者ＩＤと、家族を特定する家族情報と、各家族への連絡先情報と、を含む依頼情報を受信する処理を行なう。
【００４２】
また、依頼情報受信部１１は、被保険者と家族との関係示す続柄情報をさらに含む依頼情報を受信する機能を有する。
【００４３】
伝達意思情報受信部１２は、被保険者端末３０より、被保険者ＩＤと、被保険者が家族へ伝えたいとする意思情報と、この意思情報を伝える家族を特定して意思の公開範囲を特定する公開家族情報と、この意思情報を伝える公開日時を指定する伝達時期情報と、を含む伝達意思情報を受信する処理を行なう。
【００４４】
意思伝達実行情報受信部１３は、保険者端末４０より、被保険者ＩＤと、被保険者が死亡した日時を特定する死亡時期情報と、を含む意思伝達実行情報を受信し、被保険者ＩＤと関連付けて死亡時期情報を伝達意思情報ＤＢ２に記憶する処理を行なう。
この意思伝達実行情報受信部１３にて受信された意思伝達実行情報は、意思開示申込情報処理部１４へ送信される。
【００４５】
意思開示申込情報処理部１４は、意思伝達実行情報受信部１３での意思伝達実行情報の受信に応じ、依頼情報ＤＢ１を参照して被保険者ＩＤに基づき家族情報と連絡先情報を特定し、被保険者が家族へ伝えたいとする意思情報が登録されていることを知らせると共に、意思情報を開示するための申し込みを促す旨の第１のメッセージを生成し、この第１のメッセージを連絡先情報に基づき家族端末５０へ送信する処理を行なう。
【００４６】
この際、意思開示申込情報処理部１４は、たとえば、家族・連絡先情報特定部１４ａと、第１のメッセージ生成部１４ｂと、第１のメッセージ送信部１４ｃと、から構成されるものとすることができる。
すなわち、家族・連絡先情報特定部１４ａが、意思伝達実行情報受信部１３での意思伝達実行情報の受信に応じ、依頼情報ＤＢ１を参照して被保険者ＩＤに基づき家族情報と連絡先情報を特定する処理を行なう。
引き続き、第１のメッセージ生成部１４ｂが、被保険者が家族へ伝えたいとする意思情報が登録されていることを知らせると共に、意思情報を開示するための申し込みを促す旨の第１のメッセージを生成する処理を行なう。
そして、第１のメッセージ送信部１４ｃが、この第１のメッセージを連絡先情報に基づき家族端末５０へ送信する処理を行なう。
【００４７】
意思公開家族登録部１５は、意思開示申込情報処理部１４での第１のメッセージの送信に応じ、家族端末５０より、家族が被保険者の残した意思情報の確認のための申し込みに合意する第２のメッセージを受信し、家族ＩＤを発行すると共に、この家族ＩＤを家族端末へ通知し、さらに、依頼情報ＤＢ１を参照して第２のメッセージの送信元情報より家族情報を特定し、家族ＩＤを、家族情報に関連付けて依頼情報ＤＢ１に記憶する処理を行なう。
【００４８】
この際、意思公開家族登録部１５は、たとえば、第２のメッセージ受信部１５ａと、家族ＩＤ発行・登録部１５ｂと、から構成されるものとすることができる。
すなわち、第２のメッセージ受信部１５ａが、意思開示申込情報処理部１４での第１のメッセージの送信に応じ、家族端末５０より、家族が被保険者の残した意思情報の確認のための申し込みに合意する第２のメッセージを受信する処理を行なう。
そして、家族ＩＤ発行・登録部１５ｂが、家族ＩＤを発行すると共に、この家族ＩＤを家族端末へ通知し、さらに、依頼情報ＤＢ１を参照して第２のメッセージの送信元情報より家族情報を特定し、家族ＩＤを、家族情報に関連付けて依頼情報ＤＢ１に記憶する処理を行なう。
【００４９】
意思情報開示部１６は、意思公開家族登録部１５での家族ＩＤの登録後、家族端末５０より、家族ＩＤを含む被保険者意思公開要求を受信し、計時部Ｔを参照して現在日時を特定した後、依頼情報ＤＢ１を参照して家族ＩＤに基づき被保険者ＩＤと家族情報を特定し、引き続き伝達意思情報ＤＢ２を参照して特定した被保険者ＩＤに基づき意思情報を特定すると共に、特定した家族情報に基づき意思情報を特定し、さらに、特定した現在日時と、伝達時期情報において指定された公開日時と、を比較して意思情報の公開可否を判断し、公開日時が前記現在日時前であって公開可と判断した意思情報だけを抽出し、この意思情報を家族端末５０へ送信する処理を行なう。
この意思情報開示部１６にて受信された依頼情報は、家系図情報開示部１７や介護情報開示部２０へ送信される。
【００５０】
この際、意思情報開示部１６は、たとえば、被保険者意志公開要求受信部１６ａと、現在日時特定部１６ｂと、被保険者ＩＤ・家族情報特定部１６ｃと、意思情報特定部１６ｄと、意思情報公開可否判定部１６ｅと、公開可意思情報抽出部１６ｆと、公開可意思情報送信部１７ｇと、から構成されるものとすることができる。
すなわち、被保険者意志公開要求受信部１６ａが、家族端末５０より、家族ＩＤを含む被保険者意思公開要求を受信する処理を行なう。
引き続き、現在日時特定部１６ｂが、計時部Ｔを参照して現在日時を特定する処理を行なう。
また、被保険者ＩＤ・家族情報特定部１６ｃが、依頼情報ＤＢ１を参照して家族ＩＤに基づき被保険者ＩＤと家族情報を特定する処理を行なう。
次いで、意思情報特定部１６ｄが、伝達意思情報ＤＢ２を参照して特定した被保険者ＩＤに基づき意思情報を特定すると共に、特定した家族情報に基づき意思情報を特定する処理を行なう。
さらに、意思情報公開可否判定部１６ｅが、特定した現在日時と、伝達時期情報において指定された公開日時と、を比較して意思情報の公開可否を判断する処理を行なう。
そして、公開可意思情報抽出部１６ｆが、公開日時が現在日時前であって公開可と判断した意思情報だけを抽出する処理を行なう。
その後、公開可意思情報送信部１６ｇが、抽出した意思情報を家族端末５０へ送信するする処理を行なう。
【００５１】
家系図情報開示部１７は、家族端末５０より、被保険者意思公開要求を受信したとき、依頼情報ＤＢ１を参照し、特定した被保険者ＩＤと家族情報に基づき続柄情報を特定し、被保険者を基準として続柄情報に基づいて家族情報を関連付けて一覧表示した家系図情報を生成し、この家系図情報を家族端末５０へ送信する処理を行なう。
【００５２】
この際、家系図情報開示部１７は、たとえば、続柄情報特定部１７ａと、家系図情報生成部１７ｂと、家系図情報送信部１７ｃと、から構成されるものとすることができる。
すなわち、続柄情報特定部１７ａが、家族端末５０より、被保険者意思公開要求を受信したとき、依頼情報ＤＢ１を参照し、特定した被保険者ＩＤと家族情報に基づき続柄情報を特定する処理を行なう。
引き続き、家系図情報生成部１７ｂが、被保険者を基準として続柄情報に基づいて家族情報を関連付けて一覧表示した家系図情報を生成する処理を行なう。
そして、家系図情報送信部１７ｃが、この家系図情報を家族端末５０へ送信する処理を行なう。
【００５３】
意思情報公開時期通知部１８は、意思公開家族登録部１５での家族ＩＤの登録後、一定時間ごとに計時部Ｔを参照して現在日時を特定し、引き続き、伝達意思情報ＤＢ２を参照して、現在日時と、伝達時期情報において指定された公開日時、もしくは死亡時期情報を基準として伝達時期情報において指定された公開日時と、を比較して意思情報の公開可否を判断し、公開日時が現在日時と一致する意思情報があった場合、この意思情報に基づいて被保険者識別情報と家族情報を特定し、引き続き依頼情報ＤＢ１を参照して特定した被保険者ＩＤと家族情報に基づき連絡先情報を特定し、被保険者が伝えたいとする意思情報の公開時期が来たことを知らせる第３のメッセージを生成し、この第３のメッセージを連絡先情報に基づき家族端末５０へ送信する処理を行なう。
【００５４】
この際、意思情報公開時期通知部１８は、たとえば、現在日時特定部１８ａと、意思情報公開可否判定部１８ｂと、被保険者ＩＤ・家族情報特定部１８ｃと、連絡先特定部１８ｄと、第３のメッセージ生成部１８ｅと、第３のメッセージ送信部１８ｆと、から構成されるものとすることができる。
すなわち、現在日時特定部１８ａが、一定時間ごとに計時部Ｔを参照して現在日時を特定する処理を行なう。
引き続き、意思情報公開可否判定部１８ｂが、伝達意思情報ＤＢ２を参照して、現在日時と、伝達時期情報において指定された公開日時、もしくは死亡時期情報を基準として伝達時期情報において指定された公開日時と、を比較して意思情報の公開可否を判断する処理を行なう。
また、被保険者ＩＤ・家族情報特定部１８ｃが、公開日時が現在日時と一致する意思情報があった場合、この意思情報に基づいて被保険者ＩＤと家族情報を特定する処理を行なう。
さらに、連絡先特定部１８ｄが、依頼情報ＤＢ１を参照して特定した被保険者ＩＤと家族情報に基づき連絡先情報を特定する処理を行なう。
そして、第３のメッセージ生成部１８ｅが、被保険者が伝えたいとする意思情報の公開時期が来たことを知らせる第３のメッセージを生成する処理を行なう。
その後、第３のメッセージ送信部１８ｆが、この第３のメッセージを連絡先情報に基づき家族端末５０へ送信する処理を行なう。
【００５５】
介護情報受信部１９は、介護者端末６０より、被保険者ＩＤと、介護者が被保険者を介護した日時、介護者が介護の際に被保険者と交わした会話内容、等を含む介護日誌内容を伝える介護情報と、を含む被保険者介護情報を受信する処理を行なう。
【００５６】
介護情報開示部２０は、家族端末５０より、家族ＩＤを含む被保険者意思公開要求を受信したとき、依頼情報ＤＢ１を参照して家族ＩＤに基づき被保険者ＩＤと家族情報を特定し、引き続き介護情報ＤＢ３を参照して特定した被保険者ＩＤに基づき介護情報を抽出し、この介護情報を家族端末５０へ送信する処理を行なう。
【００５７】
この際、介護情報開示部２０は、たとえば、被保険者ＩＤ・家族情報特定部２０ａと、介護情報抽出部２０ｂと、介護情報送信部２０ｃと、から構成されるものとすることができる。
すなわち、被保険者ＩＤ・家族情報特定部２０ａが、家族端末５０より、家族ＩＤを含む被保険者意思公開要求を受信したとき、依頼情報ＤＢ１を参照して家族ＩＤに基づき被保険者ＩＤと家族情報を特定する処理を行なう。
引き続き介護情報抽出部２０ｂが、介護情報ＤＢ３を参照して特定した被保険者ＩＤに基づき介護情報を抽出する処理を行なう。
そして、介護情報送信部２０ｃが、この介護情報を家族端末５０へ送信する処理を行なう。
【００５８】
会話情報処理部２１は、被保険者端末３０より、被保険者ＩＤと、話し相手を特定する話し相手情報と、被保険者が話し相手へ伝える第１の用件情報と、を含む第１の会話情報を受信し、この第１の会話情報を話し相手端末７０へ送信すると共に、話し相手端末７０より、被保険者ＩＤと、話し相手情報と、話し相手が被保険者へ伝える第２の用件情報と、を含む第２の会話情報を受信し、この第２の会話情報を被保険者端末３０へ送信する処理を行なう。
【００５９】
この際、会話情報処理部２１は、たとえば、第１の会話情報受信部２１ａと、第１の会話情報送信部２１ｂと、第２の会話情報受信部２１ｃと、第２の会話情報送信部２１ｄと、から構成されるものとすることができる。
すなわち、第１の会話情報受信部２１ａが、被保険者端末３０より、被保険者ＩＤと、話し相手を特定する話し相手情報と、被保険者が話し相手へ伝える第１の用件情報と、を含む第１の会話情報を受信する処理を行なう。
引き続き第１の会話情報送信部２１ｂが、この第１の会話情報を話し相手端末７０へ送信する処理を行なう。
また、第２の会話情報受信部２１ｃが、話し相手端末７０より、被保険者ＩＤと、話し相手情報と、話し相手が被保険者へ伝える第２の用件情報と、を含む第２の会話情報を受信する処理を行なう。
そして、第２の会話情報送信部２１ｄが、この第２の会話情報を被保険者端末３０へ送信する処理を行なう。
【００６０】
会話情報開示部２２は、家族端末５０より、家族ＩＤを含む会話情報公開要求を受信したとき、依頼情報ＤＢ１を参照して家族ＩＤに基づき被保険者ＩＤを特定し、引き続き第１の会話情報ＤＢ４を参照して特定した被保険者ＩＤに基づき第１の会話情報を抽出すると共に、第２の会話情報ＤＢ５を参照して特定した被保険者ＩＤに基づき第２の会話情報を抽出し、第１の会話情報及び第２の会話情報を家族端末５０へ送信する処理を行なう。
【００６１】
この際、会話情報開示部２２は、たとえば、被保険者ＩＤ特定部２２ａと、第１の会話情報抽出部２２ｂと、第２の会話情報抽出部２２ｃと、会話情報送信部２２ｄと、から構成されるものとすることができる。
すなわち、被保険者ＩＤ特定部２２ａが、家族端末５０より、家族ＩＤを含む会話情報公開要求を受信したとき、依頼情報ＤＢ１を参照して家族ＩＤに基づき被保険者ＩＤを特定する処理を行なう。
引き続き、第１の会話情報抽出部２２ｂが、第１の会話情報ＤＢ４を参照して特定した被保険者ＩＤに基づき第１の会話情報を抽出する処理を行なう。
さらに、第２の会話情報抽出部２２ｃが、第２の会話情報ＤＢ５を参照して特定した被保険者ＩＤに基づき第２の会話情報を抽出する処理を行なう。
そして、会話情報送信部２２ｄが、第１の会話情報及び第２の会話情報を家族端末５０へ送信する処理を行なう。
【００６２】
また、会話情報開示部２２は、第１の会話情報ＤＢ４又は第２の会話情報ＤＢ５に公開制限情報が記憶されている場合、この公開制限情報に基づいて第１の会話情報又は第２の会話情報の抽出を行う機能を有する。
【００６３】
この際、会話情報開示部２２では、第１の会話情報抽出部２２ｂが、第１の会話情報ＤＢ４を参照して特定した被保険者ＩＤに基づき第１の会話情報を特定すると共に、この第１の会話情報に関連付けて公開制限情報が記憶されているか否か判断し、この公開制限情報に基づいて第１の会話情報を抽出する処理を行なう。
また、会話情報開示部２２では、第２の会話情報抽出部２２ｃが、第２の会話情報ＤＢ５を参照して特定した被保険者ＩＤに基づき第２の会話情報を特定すると共に、この第２の会話情報に関連付けて公開制限情報が記憶されているか否か判断し、この公開制限情報に基づいて第２の会話情報を抽出する処理を行なう。
【００６４】
公開制限情報受信部２３は、被保険者端末３０より、第１の会話情報及び第２の会話情報の公開可否又は公開先を制限する公開制限情報を受信する処理を行なう。
公開制限情報受信部２３にて受信した公開制限情報は、公開制限情報処理部２４へ送信される。
【００６５】
公開制限情報処理部２４は、公開制限情報受信部２３での公開制限情報の受信に応じ、第１の会話情報に関連付けて公開制限情報を第１の会話情報ＤＢ４に記憶すると共に、第２の会話情報に関連付けて公開制限情報を第２の会話情報ＤＢ５に記憶する処理を行なう。
【００６６】
次に、本発明の実施の形態に係る本サーバ１０を用いた本方法を実施するためのシステムであって、生命保険に加入する被保険者が、インターネット等の通信ネットワーク上に開設されたソーシャルネットワークサービス（以下、「ＳＮＳサービス」と記す。）サイトにて、被保険者が家族へ伝えたいとする意思情報を事前に登録（記録）しておく。被保険者の死後、被保険者に対して死亡保険金を支払う保険者である生命保険会社が、被保険者の意思情報が残されていることを家族へ知らせる。そして、家族からの要求に応じて、被保険者が特定した家族に対し、被保険者が指定した公開時期に、被保険者が登録した意思情報を伝達するようにした場合の概要について、図１に基づき説明する。
【００６７】
図１に示すように、まず、被保険者が生命保険に加入する（Ａ．参照）。
そうすると保険者端末４０は、被保険者の意思を伝達するための依頼情報を本サーバ１０へ送信する（１．参照）。
本サーバ１０は、保険者端末４０より送信された依頼情報を受信し、被保険者IDと家族情報と連絡先情報とを互いに関連付けて第１記憶手段である依頼情報ＤＢ１に記憶する（２．参照）。
【００６８】
また、被保険者端末３０は、家族へ伝えたい意思情報を登録するための伝達意思情報を本サーバ１０へ送信する（３．参照）。
本サーバ１０は、被保険者端末３０より送信された伝達意思情報を受信し、被保険者IDと意思情報と公開家族情報と伝達時期情報とを互いに関連付けて第２記憶手段である伝達意思情報ＤＢ２に記憶する（４．参照）。
さらに保険者端末４０は、被保険者の家族からの死亡保険金受け取りの申請により被保険者の死亡時期を知った後、被保険者の意思を家族へ伝達することを開始する意思伝達実行情報を本サーバ１０へ送信する（５．参照）。
【００６９】
本サーバ１０は、保険者端末４０より送信された意思伝達実行情報を受信し、被保険者ＩＤに関連付けて加入者である被保険者の死亡時期情報を第２記憶手段に記憶する（６．参照）。
引き続き本サーバ１０は、依頼情報ＤＢ１（第１記憶手段）を参照して家族情報とその家族の連絡先情報を特定する（７．参照）。
さらに、本サーバ１０は、被保険者の意思情報の登録を知らせる第１のメッセージを生成し、特定した家族情報と連絡先情報に基づき第１のメッセージを家族端末５０へ送信する（８．参照）。
【００７０】
家族端末５０は、第１のメッセージを受信し、被保険者の残した意思情報の公開を申し込む第２のメッセージを本サーバ１０へ送信する（９．参照）。
本サーバ１０は、家族端末５０より送信された第２のメッセージを受信し、家族ＩＤを発行して家族情報と関連付けて依頼情報ＤＢ１（第１記憶手段）に記憶する（１０．参照）。
その後、家族端末５０は、被保険者の残した意思情報の公開を要求する被保険者意思公開要求を本サーバ１０へ送信する（１１．参照）。
本サーバ１０は、家族端末５０より送信された被保険者意思公開要求を受信し、公開可能な意思情報を抽出・送信する（１２．参照）。
そして、家族端末５０は、意思情報を受信・表示する（１３．参照）。
【００７１】
このように生命保険の被保険者の意思を記録することで、残された人生の最期の時を充実できるように支援すると共に、被保険者の死後、その意思を家族へ効果的に伝達することで、人生の最期を迎えた本人と残された家族との強い繋がりを維持し、本人の意思に沿って子々孫々まで力づけられるように支援することができるものとなる。
【００７２】
また、介護者端末６０は、介護者が被保険者を介護した日時、介護者が介護の際に被保険者と交わした会話内容、等を含む介護日誌内容を伝える介護情報を本サーバ１０へ送信する（１４．参照）。
本サーバ１０は、介護者端末６０より送信された介護情報を受信し、被保険者ＩＤと互いに関連付けて第３記憶手段である介護情報ＤＢ３に記憶する（１５．参照）。
【００７３】
さらに、家族端末５０は、被保険者意思公開要求を本サーバ１０へ送信する（１６．参照）。
その後、本サーバ１０は、被保険者意思公開要求を受信し、公開可能な意思情報と共に、介護情報を抽出・送信する（１７．参照）。
そして、家族端末５０は、意思情報と共に介護情報を受信・表示する（１８．参照）。
【００７４】
このように介護情報を記録することで、被保険者の死後、家族の知らない被保険者の最期の様子をうかがい知ることができ、被保険者を偲ぶことができるものとなる。
【００７５】
また、被保険者端末３０は、被保険者ＩＤと、話し相手を特定する話し相手情報と、被保険者が話し相手へ伝える第１の用件情報と、を含む第１の会話情報を本サーバ１０へ送信する（１９．参照）。
本サーバ１０は、被保険者端末３０より送信された第１の会話情報を受信し、被保険者ＩＤと話し相手情報と第１の用件情報とを互いに関連付けて第１の会話情報ＤＢ４へ記憶する（２０．参照）。
【００７６】
また、話し相手端末７０は、被保険者ＩＤと、話し相手を特定する話し相手情報と、話し相手が前記被保険者へ伝える第２の用件情報と、を含む第２の会話情報を本サーバ１０へ送信する（２１．参照）。
本サーバ１０は、話し相手端末７０より送信された第２の会話情報を受信し、被保険者ＩＤと話し相手情報と第２の用件情報とを互いに関連付けて第２の会話情報ＤＢ５へ記憶する（２２．参照）。
【００７７】
そして、被保険者と話し相手とが交わした会話情報が記憶されている場合、家族端末５０は、会話情報公開要求を本サーバ１０へ送信する（２３．参照）。
本サーバ１０は、会話情報公開要求を受信し、会話情報を抽出・送信する（２４．参照）。
その後、家族端末５０は、会話情報を受信・表示する（２５．参照）。
【００７８】
このように会話情報を記録することによっても、被保険者の死後、家族の知らない被保険者の最期の様子をうかがい知ることができ、被保険者を偲ぶことができるものとなる。
【００７９】
次に、図２及び図３に示した上述した本サーバ１０により実行される本方法の一例を図面に基づき説明する。
＜第１の実施の形態＞
まず、第１の実施の形態として実行される方法の詳細な一例を図９に基づき説明する。図９は、本発明の第１の実施の形態に係る被保険者意思記録伝達方法における意志情報公開処理の詳細な流れの一例を示すシーケンス図である。
【００８０】
まず、保険者端末４０は、被保険者の生命保険の加入に伴い、被保険者を特定する被保険者ＩＤと、家族を特定する家族情報と、各家族への連絡先情報と、を含む依頼情報を本サーバ１０へ送信する。（（１０）参照）。
本サーバ１０は、保険者端末４０より送信された依頼情報を受信する（（２０）参照）。
引き続き本サーバ１０は、受信した依頼情報を、被保険者ＩＤと、家族情報と、連絡先情報と、を互いに関連付けて依頼情報ＤＢ１に記憶する（（３０）参照）。この被保険者ＩＤは、依頼情報の受信に応じて被保険者ごとに付与される固有のものであり、依頼情報の依頼情報ＤＢ１への登録後、被保険者へ通知される。
【００８１】
被保険者は、被保険者ＩＤの通知を受けた後、家族へ伝えたいとする意思情報を記録したいと望む場合、被保険者端末３０を起動し、通信ネットワークＮＷを介して本サーバ１０に接続し、本サーバ１０に構築されたＳＮＳサービスサイトである被保険者意思記録伝達サイトにアクセスしてホームページをダウンロードする。
被保険者は、被保険者意思記録伝達サイトを訪問し、事前に付与された被保険者ＩＤ、事前に設定したパスワードを入力し、ログインする。
【００８２】
この被保険者意思記録伝達サイトは、たとえば図１０に示すような形で表すことが出来る。図１０は、本サーバと接続した被保険者端末のディスプレイに表示された被保険者意思記録伝達サイトのログイン画面の一例を示す図である。この被保険者意思記録伝達サイトログイン画面１００には、「あなたのＩＤとパスワードを入力し、送信ボタンを押して下さい。」といった案内と共に、このシステムの利用が可能な会員であることを確認する被保険者ＩＤ入力欄１０１と、パスワード入力欄１０２とからなる会員ログイン欄が表示されている。また、被保険者意思記録伝達サイトログイン画面１００には、会員ログイン欄に入力した被保険者ＩＤやパスワードにてログインを実行するための「送信」ボタン１０９が表示されている。
【００８３】
したがって、被保険者意思記録伝達サイトにて意思情報の記録を行なう者は、生命保険に加入した被保険者であれば、ＩＤ入力欄１０１に被保険者ＩＤを入力し、パスワード入力欄１０２にパスワードを入力した後、「送信」ボタン１０９を選択してログインする。
被保険者意思記録伝達サイトログイン画面１００にて「送信」ボタン１０９を選択すると、認証の結果、被保険者登録されていることが認められログインすることで、引き続きメニュー選択画面が被保険者端末３０のディスプレイに表示される。
【００８４】
このメニュー選択画面は、たとえば図１１に示すような形で表すことが出来る。図１１は、本サーバと接続した被保険者端末のディスプレイに表示されたメニュー選択画面の一例を示す図である。このメニュー選択画面１１０には、意思情報の記録を要求する「意思情報の登録」ボタン１１１、意思情報の閲覧を要求する「意思情報の開示」ボタン１１２、・・・及び被保険者意思記録伝達サービスサイトでの作業を終了する「終了」ボタン１１９、がそれぞれ表示されている。
【００８５】
したがって、意思情報の記録を要求する被保険者は、「意思情報の登録」ボタン１１１を選択する。
これにより、被保険者端末３０は、意思情報の記録要求を本サーバ１０へ送信する。
本サーバ１０は、被保険者端末３０より送信された意思情報の記録要求受信し、被保険者端末３０に対して、意思情報登録フォームを送信する。
被保険者端末３０は、本サーバ１０より送られた意思情報登録フォームを受信する。
【００８６】
この意思情報登録フォーム画面は、たとえば図１２に示すような形で表すことが出来る。図１２は、本サーバと接続した被保険者端末のディスプレイに表示された意思情報登録画面の一例を示す図である。この意思情報登録画面１２０には、誰に伝えますか？といった案内に続き、被保険者が意思情報を伝える家族を特定して入力する公開家族指定欄１２１、いつ伝えますか？といった案内に続き、意思情報を伝える公開日時を指定する伝達時期指定欄、及び家族へ伝える意思を入力するメッセージ入力欄１２４が設けられている。図１２において、この伝達時期指定欄は、年月日を指定することを選択する第１選択ボタン１２２ａ、年月日をそれぞれ入力する年月日入力欄１２３ａ、及び死後の経過日を指定することを選択する第２選択ボタン１２２ｂ、経過日を入力する経過日入力欄１２３ｂ、から構成されている。
さらに、この意思情報登録画面１２０には、入力した内容での登録を希望する「登録」ボタン１２９が設けられている。
【００８７】
したがって、意思情報の記録を要求する被保険者は、公開家族指定欄１２１に、意思を伝えたい家族情報を入力し、伝達時期指定欄にて、意思を伝える公開日時を指定し、さらに、メッセージ入力欄１２４に、家族へ伝えたいとする意思を入力した後、「登録」ボタン１２９を選択する。
これにより、被保険者端末３０は、被保険者ＩＤと、被保険者が家族へ伝えたいとする意思情報と、この意思情報を伝える家族を特定して意思の公開範囲を特定する公開家族情報と、意思情報を伝える公開日時を指定する伝達時期情報と、を含む伝達意思情報を本サーバ１０へ送信する。（（４０）参照）。
【００８８】
本サーバ１０は、被保険者端末３０より送信された伝達意思情報を受信する（（５０）参照）。
引き続き本サーバ１０は、受信した伝達意思情報を、被保険者ＩＤと、意思情報と、公開家族情報と、伝達時期情報と、を互いに関連付けて伝達意思情報ＤＢ２に記憶する（（６０）参照）。
なお、被保険者端末３０からの伝達意思情報の本サーバ１０へ送信（（４０）参照）、及び本サーバ１０での伝達意思情報の受信（（５０）参照）・登録（（６０）参照）は、被保険者が死亡するまで適宜繰り返される。
【００８９】
その後、被保険者の家族からの死亡保険金受け取りの申請により被保険者の死亡時期を知った後、保険者端末４０は、被保険者ＩＤと、被保険者が死亡した日時を特定する死亡時期情報と、を含み、被保険者の意思を家族へ伝達することを開始する、意思伝達実行情報を本サーバ１０へ送信する（（７０）参照）。
本サーバ１０は、保険者端末４０より送信された意思伝達実行情報を受信する（（８０）参照）。
引き続き本サーバ１０は、受信した意思伝達実行情報に含まれる死亡時期情報を、被保険者ＩＤと関連付けて伝達意思情報ＤＢ２に記憶する（（９０）参照）。
【００９０】
また、本サーバ１０は、意思伝達実行情報の受信に応じ、依頼情報ＤＢ１を参照して被保険者ＩＤに基づき家族情報と連絡先情報を特定する（（１００）参照）。
さらに、本サーバ１０は、被保険者が家族へ伝えたいとする意思情報が登録されていることを知らせると共に、この意思情報を開示するための申し込みを促す旨の第１のメッセージを生成する（（１１０）参照）。この第１のメッセージには、被保険者ＩＤと家族情報が含まれている。
そして、本サーバ１０は、生成した第１のメッセージを、連絡先情報に基づき家族端末５０へ送信する（（１２０）参照）。
【００９１】
家族端末５０は、本サーバ１０より送信された第１のメッセージを受信する（（１３０）参照）。
この第１のメッセージは、たとえば図１３に示すような形で表すことが出来る。図１３は、本サーバと接続した家族端末のディスプレイに表示された第１のメッセージ画面の一例を示す図である。この第１のメッセージ画面１３０には、被保険者が意思情報を伝えたいと特定していた家族情報１３１と共に、被保険者が家族へ伝えたいとする意思情報が登録されていることを知らせると共に、この意思情報を開示するための申し込みを促す案内１３２が表示されている。また、第１のメッセージ画面１３０には、家族が被保険者の残した意思情報の確認のための申し込みに、合意する旨の意思表示を行う合意するボタン１３８と、この申し込みに合意しない意思表示を行う合意しないボタン１３９とが設けられている。図１３において、家族情報１３１として、妻の氏名である「東映子」が表示され、案内１３２として「東一郎（被保険者の氏名）様より、あなた様へお伝えしたいメッセージをお預かりしております。メッセージをご覧になりたい場合は、以下のメッセージを確認するボタンを押して、メッセージ確認のための申し込み手続きをしてください。」が表示されている。また、合意するボタン１３８として「メッセージを確認する」と表記され、合意しないボタン１３９として「メッセージを確認しない」と表記されている。
【００９２】
したがって、意思情報の開示を要求する家族は、合意するボタン１３８を選択する。
これにより、家族端末５０は、家族が被保険者の残した意思情報の確認のための申し込みに合意する旨を通知する第２のメッセージを本サーバ１０へ送信する（（１４０）参照）。
【００９３】
本サーバ１０は、家族端末５０より送信された第２のメッセージを受信する（（１５０）参照）。
引き続き本サーバ１０は、第２のメッセージの受信に応じ、家族ＩＤを発行する（（１６０）参照）。
また、本サーバ１０は、発行した家族ＩＤを家族端末５０へ通知する（（１７０Ａ）参照）。
【００９４】
家族端末５０は、本サーバ１０より送信された家族ＩＤを受信する（（１７０Ｂ）参照）。
この家族ＩＤの通知は、たとえば図１４に示すような形で表すことが出来る。図１４は、本サーバと接続した家族端末のディスプレイに表示された家族ＩＤ通知画面の一例を示す図である。この家族ＩＤ通知画面１４０には、家族ＩＤを通知する家族情報と共に、その案内文、及び家族ＩＤ１４１が表示されている。図１４において、家族情報として、妻の氏名である「東映子」が表示され、案内文として、「東一郎（被保険者の氏名）様のメッセージをご覧になるためのあなた様のＩＤは＊＊＊＊＊です。」が表示されている。
【００９５】
また、本サーバ１０は、第２のメッセージの受信に応じ、依頼情報ＤＢ１を参照して第２のメッセージの送信元情報より家族情報を特定する（（１８０）参照）。
そして、本サーバ１０は、特定した家族情報に関連付けて、発行した家族ＩＤを依頼情報ＤＢ１に記憶する（（１９０）参照）。
【００９６】
家族ＩＤを受信した家族は、被保険者の残した意思情報の確認を望む場合、家族端末５０を起動し、通信ネットワークＮＷを介して本サーバ１０に接続し、本サーバ１０に構築された被保険者意思記録伝達サイトにアクセスしてホームページをダウンロードする。
家族は、被保険者意思記録伝達サイトを訪問し、通知された家族ＩＤ、及び事前に設定したパスワードを入力し、ログインする。
【００９７】
この被保険者意思記録伝達サイトは、前述したとおり図１０に示すような形で表すことが出来る。
したがって、被保険者意思記録伝達サイトにて意思情報の確認を行なう者は、被保険者の家族であれば、ＩＤ入力欄１０１に家族ＩＤを入力し、パスワード入力欄１０２にパスワードを入力した後、「送信」ボタン１０９を選択してログインする。
【００９８】
被保険者意思記録伝達サイトログイン画面１００にて「送信」ボタン１０９を選択すると、認証の結果、被保険者の家族登録されていることが認められログインすることで、引き続きメニュー選択画面が被保険者端末３０のディスプレイに表示される。
このメニュー選択画面は、前述したとおり図１１に示すような形で表すことが出来る。
したがって、意思情報の確認を要求する被保険者は、「意思情報の開示」ボタン１１２を選択する。
【００９９】
これにより、家族端末５０は、家族ＩＤの受信後、被保険者の残した意思情報を確認するため、この家族ＩＤを含む被保険者意思公開要求を本サーバ１０へ送信する（（２００）参照）。
本サーバ１０は、家族端末５０より送信された被保険者意思公開要求を受信する（（２１０）参照）。
引き続き本サーバ１０は、計時部Ｔを参照して現在日時を特定する（（２２０）参照）。
また、本サーバ１０は、依頼情報ＤＢ１を参照して家族ＩＤに基づき被保険者ＩＤと家族情報を特定する（（２３０）参照）。
さらに、本サーバ１０は、伝達意思情報ＤＢ２を参照して被保険者ＩＤに基づき意思情報を特定すると共に、家族情報に基づき意思情報をさらに絞り込んで特定する（（２４０）参照）。
【０１００】
また、本サーバ１０は、特定した現在日時と、伝達時期情報において指定された公開日時と、を比較して意思情報の公開可否を判断する（（２５０）参照）。
引き続き本サーバ１０は、公開日時が現在日時前であって公開可と判断した公開可意思情報だけを抽出する（（２６０）参照）。
そして、本サーバ１０は、抽出した公開可意思情報を家族端末５０へ送信する（（２７０）参照）。
その後、家族端末５０は本サーバ１０より送信された公開可意思情報を受信し、家族が閲覧可能なように表示部に表示する（（２８０）参照）。
【０１０１】
この公開可意思情報画面は、たとえば図１５に示すような形で表すことが出来る。
図１５は、本サーバと接続した家族端末のディスプレイに表示された第１の意思情報公開画面の一例を示す図である。この第１の意思情報登録画面１５０Ａには、被保険者の画像及び氏名を示す被保険者情報表示欄１５１、被保険者が意思情報を伝える家族を表示する家族情報表示欄１５２、家族へのメッセージを開示する意思表示欄１５３が設けられている。また、第１の意思情報登録画面１５０Ａには、被保険者意思記録伝達サイトでの作業を終了する「終了」ボタン１５９が設けられている。
【０１０２】
次に、上述した第１の実施の形態における方法を実施する本サーバ１０の動作の一例を、図１６及び図１７を参照しながら説明する。図１６及び図１７は、本サーバ１０での意志情報公開処理の一例を示すフローチャートである。
まず、図１６に示されるように、依頼情報受信部１１が、保険者端末４０より、被保険者ＩＤと、家族情報と、連絡先情報と、を含む依頼情報を受信したか否か判断する（Ｓ１１）。
その結果、依頼情報受信部１１が、依頼情報を受信した場合（Ｙ）、依頼情報受信部１１は、受信した依頼情報を、被保険者ＩＤと、家族情報と、連絡先情報と、を互いに関連付けて依頼情報ＤＢ１に記憶する（Ｓ１２）。
【０１０３】
一方、依頼情報受信部１１が、依頼情報を受信していない場合（Ｎ）、次に、伝達意思情報受信部１２が、被保険者端末３０より、被保険者ＩＤと、意思情報と、公開家族情報と、伝達時期情報と、を含む伝達意思情報を受信したか否か判断する（Ｓ１３）。
その結果、伝達意思情報受信部１２が、伝達意思情報を受信した場合（Ｙ）、伝達意思情報受信部１２は、受信した伝達意思情報を、被保険者ＩＤと、意思情報と、公開家族情報と、伝達時期情報と、を互いに関連付けて伝達意思情報ＤＢ２に記憶する（Ｓ１４）。
その後、伝達意思情報受信部１２は、引き続き伝達意思情報を受信したか否か判断を繰り返し行う（Ｓ１３）。
【０１０４】
一方、伝達意思情報受信部１２が、伝達意思情報を受信していない場合（Ｎ）、次に、意思伝達実行情報受信部１３が、保険者端末４０より、被保険者ＩＤと、被保険者の死亡時期情報と、を含む意思伝達実行情報を受信したか否か判断する（Ｓ１５）。
その結果、意思伝達実行情報受信部１３が、意思伝達実行情報を受信した場合（Ｙ）、意思伝達実行情報受信部１３は、被保険者ＩＤと関連付けて死亡時期情報を伝達意思情報ＤＢ２に記憶する（Ｓ１６）。
一方、意思伝達実行情報受信部１３が、意思伝達実行情報を受信していない場合（Ｎ）、意思伝達実行情報受信部１３は、引き続き意思伝達実行情報を受信したか否か判断を繰り返し行う（Ｓ１５）。
【０１０５】
また、意思伝達実行情報受信部１３が、被保険者ＩＤと関連付けて死亡時期情報を伝達意思情報ＤＢ２に記憶した後、次に、意思開示申込情報処理部１４が、家族・連絡先情報特定部１４ａにて、意思伝達実行情報受信部１３での意思伝達実行情報の受信に応じ、依頼情報ＤＢ１を参照して被保険者ＩＤに基づき家族情報と連絡先情報を特定する（Ｓ１７）。
引き続き、意思開示申込情報処理部１４は、第１のメッセージ生成部１４ｂにて、被保険者が家族へ伝えたいとする意思情報が登録されていることを知らせると共に、意思情報を開示するための申し込みを促す旨の第１のメッセージを生成する（Ｓ１８）。
そして、意思開示申込情報処理部１４は、第１のメッセージ送信部１４ｃにて、この第１のメッセージを連絡先情報に基づき家族端末５０へ送信する（Ｓ１９）。
【０１０６】
次に、意思公開家族登録部１５が、第２のメッセージ受信部１５ａにて、意思開示申込情報処理部１４での第１のメッセージの送信に応じ、家族端末５０より、家族が被保険者の残した意思情報の確認のための申し込みに合意する第２のメッセージを受信したか否か判断する（Ｓ２０）。
その結果、意思公開家族登録部１５が、第２のメッセージを受信した場合（Ｙ）、引き続き意思公開家族登録部１５は、家族ＩＤ発行・登録部１５ｂにて、家族ＩＤを発行する（Ｓ２１）。
一方、意思公開家族登録部１５が、第２のメッセージを受信していない場合（Ｎ）、意思公開家族登録部１５は、引き続き第２のメッセージを受信したか否か判断を繰り返し行う（Ｓ２０）。
【０１０７】
そして、意思公開家族登録部１５が、家族ＩＤの発行を行った後、引き続き意思公開家族登録部１５は、家族ＩＤ発行・登録部１５ｂにて、この家族ＩＤを家族端末へ通知する（Ｓ２２）。
さらに、意思公開家族登録部１５は、家族ＩＤ発行・登録部１５ｂにて、依頼情報ＤＢ１を参照して第２のメッセージの送信元情報より家族情報を特定する（Ｓ２３）。
その後、意思公開家族登録部１５は、家族ＩＤ発行・登録部１５ｂにて、家族ＩＤを、家族情報に関連付けて依頼情報ＤＢ１に記憶する（Ｓ２４）。
【０１０８】
次に、意思情報開示部１６が、被保険者意志公開要求受信部１６ａにて、家族端末５０より、家族ＩＤを含む被保険者の意思情報公開要求を受信したか否か判断する（Ｓ２５）。
その結果、意思情報開示部１６が、意思情報公開要求を受信した場合（Ｙ）、引き続き意思情報開示部１６は、現在日時特定部１６ｂにて、計時部Ｔを参照して現在日時を特定する（Ｓ２６）。
一方、意思情報開示部１６が、意思情報公開要求を受信していない場合（Ｎ）、そのまま本サーバ１０での一連の動作は終了（エンド）する。
【０１０９】
意思情報開示部１６は、現在日時を特定した後、引き続き被保険者ＩＤ・家族情報特定部１６ｃにて、依頼情報ＤＢ１を参照して家族ＩＤに基づき被保険者ＩＤと家族情報を特定する（Ｓ２７）。
次いで、意思情報開示部１６は、意思情報特定部１６ｄにて、伝達意思情報ＤＢ２を参照して特定した被保険者ＩＤに基づき意思情報を特定すると共に、特定した家族情報に基づき意思情報を特定する（Ｓ２８）。
【０１１０】
さらに、意思情報開示部１６は、意思情報公開可否判定部１６ｅにて、特定した現在日時と、伝達時期情報において指定された公開日時と、を比較して意思情報の公開可否を判断し、公開可である意思情報が有るか否か判断する（Ｓ２９）。
その結果、意思情報開示部１６が、公開可である意思情報が有ると判断した場合（Ｙ）、引き続き意思情報開示部１６は、公開可意思情報抽出部１６ｆにて、公開日時が現在日時前であって公開可と判断した意思情報だけを抽出する（Ｓ３０）。
一方、意思情報開示部１６が、公開可である意思情報が無いと判断した場合（Ｎ）、そのまま本サーバ１０での一連の動作は終了（エンド）する。
【０１１１】
そして、意思情報開示部１６は、公開可意思情報送信部１６ｇにて、抽出した意思情報を家族端末５０へ送信する（Ｓ３１）。
これにより、本サーバ１０での一連の動作は終了（エンド）する。
【０１１２】
以上のように本実施の形態では、生命保険に加入した被保険者の意思を記録し、被保険者の死後、所定の家族に対して適切な時期に、その意思を効果的に伝達することができる。
したがって、被保険者は、残された人生の最期の時を、家族を思いながら充実して過ごすことができ、一方、家族は、被保険者が亡くなった後も、その意思を確認することによって子々孫々まで力づけられ、被保険者と家族との強い繋がりを維持することができる。
【０１１３】
＜第２の実施の形態＞
また、本発明では、被保険者と家族との繋がりを視覚的に一目で意識させることもできる。すなわち、上述した第１の実施の形態とは、被保険者の意思情報と共に、家系図情報を併せて表示する点が異なる。
以下、その処理についての一例を図１８に基づき説明する。
図１８は、本発明の実施の形態に係る被保険者意思記録伝達方法における家系図情報公開処理の流れの一例を示すシーケンス図である。
まず、家族が、被保険者の残した意思情報を確認するため、家族端末５０が、家族ＩＤを含む被保険者意思公開要求を本サーバ１０へ送信し、本サーバ１０が、この被保険者意思公開要求を受信して、計時部Ｔを参照して現在日時を特定する（（２２０）参照）処理までは、上述した第１の実施の形態と同様とする。
【０１１４】
引き続き本サーバ１０は、依頼情報ＤＢ１を参照して家族ＩＤに基づき続柄情報を特定する（（２３０Ｂ）参照）。
さらに、本サーバ１０は、被保険者を基準として前記続柄情報に基づいて家族情報を関連付けて一覧表示した家系図情報を生成する（（２４０Ｂ）参照）。
その後、本サーバ１０は、公開可である意思情報と共に、この家系図情報を家族端末５０へ送信する（（２７０Ｂ）参照）。
【０１１５】
そして、家族端末５０は、本サーバ１０より送信された公開可である意思情報と共に、この家系図情報を受信し、家族が家系図付意思情報を閲覧可能なように表示部に表示する（（２８０Ｂ）参照）。
【０１１６】
この家系図付意思情報画面は、たとえば図１９に示すような形で表すことが出来る。
図１９は、本サーバと接続した家族端末のディスプレイに表示された第２の意思情報公開画面である家系図付意思情報公開画面の一例を示す図である。この家系図付意思情報公開画面１５０Ｂには、被保険者情報表示欄１５１、家族情報表示欄１５２、意思表示欄１５３と共に、家系図表示欄１５４が設けられている。また、家系図付意思情報公開画面１５０Ｂには、被保険者意思記録伝達サイトでの作業を終了する「終了」ボタン１５９が設けられている。図１９において、家系図は、東一郎さんと映子（妻）の子供として、長男の太郎さん、次男の次郎さん、長女の映美さんが存在していることが一目で分かるように表示されている。
【０１１７】
次に、上述した第２の実施の形態における方法を実施する本サーバ１０の動作の一例を、図２０を参照しながら説明する。図２０は、本サーバ１０での家系図情報公開処理の一例を示すフローチャートである。
まず、意思情報開示部１６が、家族端末５０より、家族ＩＤを含む被保険者の意思情報公開要求を受信したか否か判断し、意思情報公開要求を受信した場合（Ｙ）、引き続き意思情報開示部１６が、計時部Ｔを参照して現在日時を特定すると共に、引き続き依頼情報ＤＢ１を参照して家族ＩＤに基づき被保険者ＩＤと家族情報を特定する（Ｓ２７）処理までは、図１６及び図１７に示す第１の実施の形態における処理と同様である。
なお、意思情報開示部１６が、意思情報公開要求を受信していない場合（Ｎ）、そのまま本サーバ１０での一連の動作は終了（エンド）する。
【０１１８】
家系図情報開示部１７が、続柄情報特定部１７ａにて、家族端末５０より、被保険者の意思公開要求を受信したとき、依頼情報ＤＢ１を参照し、特定した被保険者ＩＤと家族情報に基づき続柄情報を特定する（Ｓ２７Ａ）。
引き続き、家系図情報開示部１７は、家系図情報生成部１７ｂにて、被保険者を基準として続柄情報に基づいて家族情報を関連付けて一覧表示した家系図情報を生成する（Ｓ２７Ｂ）。
次いで、意思情報開示部１６は、意思情報特定部１６ｄにて、伝達意思情報ＤＢ２を参照して特定した被保険者ＩＤに基づき意思情報を特定すると共に、特定した家族情報に基づき意思情報を特定する（Ｓ２８）。
【０１１９】
さらに、意思情報開示部１６は、意思情報公開可否判定部１６ｅにて、特定した現在日時と、伝達時期情報において指定された公開日時と、を比較して意思情報の公開可否を判断し、公開可である意思情報が有るか否か判断する（Ｓ２９）。
その結果、意思情報開示部１６が、公開可である意思情報が有ると判断した場合（Ｙ）、引き続き意思情報開示部１６は、公開可意思情報抽出部１６ｆにて、公開日時が現在日時前であって公開可と判断した意思情報だけを抽出する（Ｓ３０）。
一方、意思情報開示部１６が、公開可である意思情報が無いと判断した場合（Ｎ）、そのまま本サーバ１０での一連の動作は終了（エンド）する。
【０１２０】
そして、意思情報開示部１６は、公開可意思情報送信部１６ｇにて、抽出した意思情報を家族端末５０へ送信すると共に、家系図情報開示部１７は、家系図情報送信部１７ｃにて、この家系図情報を家族端末５０へ送信する（Ｓ３１Ｂ）。
これにより、本サーバ１０での一連の動作は終了（エンド）する。
【０１２１】
以上のように本実施の形態では、家系図情報を表示することができる。
したがって、家族は、被保険者が亡くなった後も、被保険者と繋がりを意識することができると共に、被保険者とは面識のない孫や曾孫といった末代まで、被保険者との強い繋がり関係を意識することができる。
【０１２２】
＜第３の実施の形態＞
また、本発明では、新たに公開可能となった意思情報がある場合に、その旨を家族に知らせることもできる。すなわち、上述した第１の実施の形態とは、家族に対して、被保険者が伝えたいとする意思情報の公開時期が来たことを知らせる点が異なる。
以下、その処理についての一例を図２１に基づき説明する。
図２１は、本発明の実施の形態に係る被保険者意思記録伝達方法における被保険者意志公開要求処理の流れの一例を示すシーケンス図である。
まず、本サーバ１０が、第２のメッセージの受信に応じ、依頼情報ＤＢ１を参照して第２のメッセージの送信元情報より家族情報を特定し、特定した家族情報に関連付けて、発行した家族ＩＤを依頼情報ＤＢ１に記憶する（（１９０）参照）処理までは、上述した第１の実施の形態と同様とする。
【０１２３】
引き続き本サーバ１０は、一定時間ごとに計時部Ｔを参照して現在日時を特定する（（１９１）参照）。
次いで、本サーバ１０は、伝達意思情報ＤＢを参照し、現在日時と、伝達時期情報において指定された公開日時、もしくは死亡時期情報を基準として伝達時期情報において指定された公開日時と、を比較して意思情報の公開可否を判断する（（１９２）参照）。
本サーバ１０は、公開日時が前記現在日時と一致する意思情報があった場合、当該意思情報に基づいて被保険者識別情報と家族情報を特定する（（１９３）参照）。
また、本サーバ１０は、依頼情報ＤＢ１を参照して特定した被保険者ＩＤと家族情報に基づき連絡先情報を特定する（（１９４）参照）。
【０１２４】
さらに、本サーバ１０は、被保険者が伝えたいとする意思情報の公開時期が来たことを知らせる第３のメッセージを生成する（（１９５）参照）。
そして、本サーバ１０は、この第３のメッセージを連絡先情報に基づいて家族端末５０へ送信する（（１９６）参照）。
【０１２５】
家族端末５０は、本サーバ１０より送信された第３のメッセージを受信する（（１９７）参照）。
この第３のメッセージは、たとえば図２２に示すような形で表すことが出来る。図２２は、本サーバと接続した家族端末のディスプレイに表示された第３のメッセージ画面の一例を示す図である。この第３のメッセージ画面１６０には、被保険者が意思情報を伝えたいと特定していた家族情報１６１と共に、被保険者が家族へ伝えたいとする意思情報が登録されていることを知らせる案内１６２が表示されている。また、第３のメッセージ画面１６０には、家族が被保険者の残した意思情報の確認を行う被保険者意志記録伝達サイトへ接続するＵＲＬ情報１６３が設けられている。図２２において、家族情報１６１として、長男の氏名である「東太郎」が表示され、案内１６２として「東一郎（被保険者の氏名）様より、本日、あなた様へお伝えしたいメッセージをお預かりしております。メッセージをご覧になりたい場合は、以下のサイトからログインしてください。」が表示されている。
【０１２６】
したがって第３のメッセージを受信した家族は、被保険者の残した意思情報の確認を望む場合、ＵＲＬ情報１６３を選択し、家族端末５０を起動し、通信ネットワークＮＷを介して本サーバ１０に接続し、本サーバ１０に構築された被保険者意思記録伝達サイトにアクセスしてホームページをダウンロードする。
家族は、被保険者意思記録伝達サイトを訪問し、通知された家族ＩＤ、及び事前に設定したパスワードを入力し、ログインする。
【０１２７】
この被保険者意思記録伝達サイトは、前述したとおり図１０に示すような形で表すことが出来る。
したがって、被保険者意思記録伝達サイトにて意思情報の確認を行なう者は、被保険者の家族であれば、ＩＤ入力欄１０１に家族ＩＤを入力し、パスワード入力欄１０２にパスワードを入力した後、「送信」ボタン１０９を選択してログインする。
【０１２８】
被保険者意思記録伝達サイトログイン画面１００にて「送信」ボタン１０９を選択すると、認証の結果、被保険者の家族登録されていることが認められログインすることで、引き続きメニュー選択画面が被保険者端末３０のディスプレイに表示される。
このメニュー選択画面は、前述したとおり図１１に示すような形で表すことが出来る。
したがって、意思情報の確認を要求する被保険者は、「意思情報の開示」ボタン１１２を選択する。
【０１２９】
これにより、家族端末５０は、家族ＩＤの受信後、被保険者の残した意思情報を確認するため、この家族ＩＤを含む被保険者意思公開要求を本サーバ１０へ送信する（（２００）参照）。
【０１３０】
次に、上述した第３の実施の形態における方法を実施する本サーバ１０の動作の一例を、図２３を参照しながら説明する。図２３は、本発明の実施の形態に係る被保険者意思記録伝達装置での被保険者意志公開要求処理の一例を示すフローチャートである。
まず、意思公開家族登録部１５が、家族ＩＤの発行を行った後、この家族ＩＤを家族端末へ通知すると共に、依頼情報ＤＢ１を参照して第２のメッセージの送信元情報より家族情報を特定し、家族ＩＤを、家族情報に関連付けて依頼情報ＤＢ１に記憶する（Ｓ２４）処理までは、図１６及び図１７に示す第１の実施の形態における処理と同様である。
【０１３１】
引き続き、意思情報公開時期通知部１８が、現在日時特定部１８ａにて、一定時間ごとに計時部Ｔを参照して現在日時を特定する（Ｓ２４Ａ）。
次いで、意思情報公開時期通知部１８が、意思情報公開可否判定部１８ｂにて、伝達意思情報ＤＢ２を参照して、現在日時と、伝達時期情報において指定された公開日時、もしくは死亡時期情報を基準として伝達時期情報において指定された公開日時と、を比較して意思情報の公開可否を判断し、公開日時が現在日時と一致する公開可意思情報が有るか否か判断する（Ｓ２４Ｂ）。
【０１３２】
その結果、意思情報公開時期通知部１８が、公開可意思情報が有ると判断した場合（Ｙ）、引き続き意思情報公開時期通知部１８が、被保険者ＩＤ・家族情報特定部１８ｃにて意思情報に基づいて被保険者ＩＤと家族情報を特定する（Ｓ２４Ｃ）。
一方、意思情報公開時期通知部１８が、公開可意思情報が無いと判断した場合（Ｎ）、そのまま本サーバ１０での一連の動作は終了（エンド）する。
【０１３３】
また、意思情報公開時期通知部１８は、被保険者ＩＤと家族情報の特定後、連絡先特定部１８ｄにて、依頼情報ＤＢ１を参照して特定した被保険者ＩＤと家族情報に基づき連絡先情報を特定する（Ｓ２４Ｄ）。
次いで、意思情報公開時期通知部１８は、第３のメッセージ生成部１８ｅにて、被保険者が伝えたいとする意思情報の公開時期が来たことを知らせる第３のメッセージを生成する（Ｓ２４Ｅ）。
そして、意思情報公開時期通知部１８は、第３のメッセージ送信部１８ｆにて、この第３のメッセージを連絡先情報に基づき家族端末５０へ送信する（Ｓ２４Ｆ）。
【０１３４】
その後、意思情報開示部１６が、被保険者意志公開要求受信部１６ａにて、家族端末５０より、家族ＩＤを含む被保険者の意思情報公開要求を受信したか否か判断する（Ｓ２５）。
なお、これ以降の処理は、図１６及び図１７に示す第１の実施の形態における処理と同様となる。
【０１３５】
以上のように本実施の形態では、家族は、新たに公開可能となった意思情報を、被保険者が意図した公開日時に確認することができる。
したがって、家族は、被保険者が亡くなった後も、被保険者がなぜこの日に公開するメッセージを残したのか、被保険者の想いを感じつつ、被保険者と繋がりを意識することができる。
【０１３６】
＜第４の実施の形態＞
また、本発明では、被保険者を介護する介護者が利用する介護者端末６０と通信ネットワークを介してさらに接続され、家族の知らない被保険者の最期の様子を知るようにすることもできる。すなわち、上述した第１の実施の形態とは、介護者端末６０より、介護情報を受信し、意思情報と共に又は意思情報に代えて、被保険者を介護していた介護者と交わした会話内容を含む介護情報を閲覧可能する点が異なる。
【０１３７】
以下、その処理についての一例を図２４に基づき説明する。
図２４は、本発明の実施の形態に係る被保険者意思記録伝達方法における介護情報公開処理の流れの一例を示すシーケンス図である。
まず、保険者端末４０が、被保険者の生命保険の加入に伴い、被保険者を特定する被保険者ＩＤと、家族を特定する家族情報と、各家族への連絡先情報と、を含む依頼情報を本サーバ１０へ送信し、本サーバ１０が、保険者端末４０より送信された依頼情報を受信して、この依頼情報を、被保険者ＩＤと、家族情報と、連絡先情報と、を互いに関連付けて依頼情報ＤＢ１に記憶する（（３０）参照）処理までは、上述した第１の実施の形態と同様とする。
【０１３８】
また、介護者端末６０は、被保険者ＩＤと、介護者が被保険者を介護した日時、介護者が介護の際に被保険者と交わした会話内容、を含む介護日誌内容を伝える介護情報と、を含む被保険者介護情報を本サーバ１０へ送信する（（３００）参照）。
本サーバ１０は、介護者端末６０より送信された被保険者介護情報を受信する（（３１０）参照）。
引き続き本サーバ１０は、受信した被保険者介護情報を、被保険者ＩＤと、介護情報と、を互いに関連付けて介護情報ＤＢ３に記憶する（（３２０）参照）。
なお、介護者端末６０からの被保険者介護情報の本サーバ１０へ送信（（３００）参照）、及び本サーバ１０での被保険者介護情報の受信（（３１０）参照）・登録（（３２０）参照）は、被保険者が死亡するまで又は被保険者の介護が終了するまで適宜繰り返される。
【０１３９】
その後、家族端末５０が、被保険者の残した意思情報を確認するため、家族ＩＤを含む被保険者意思公開要求を本サーバ１０へ送信し（（４００）参照）、本サーバ１０が、家族端末５０より送信された被保険者意思公開要求を受信する（（４１０）参照）処理までは、上述した第１の実施の形態と同様とする。
【０１４０】
引き続き本サーバ１０は、被保険者意思公開要求を受信したとき、依頼情報ＤＢ１を参照して家族ＩＤに基づき被保険者ＩＤと家族情報を特定する（（４２０）参照）。
次いで、本サーバ１０は、介護情報ＤＢ３を参照して特定した被保険者ＩＤに基づき介護情報を抽出する（（４３０）参照）。
そして、本サーバ１０は、抽出した介護情報を家族端末５０へ送信する（（４４０）参照）。
【０１４１】
家族端末５０は、本サーバ１０より送信された公開可である意思情報を受信し、意思情報を閲覧可能なように表示部に表示すると共に、本サーバ１０より送信された介護情報を受信し、介護情報を閲覧可能なように表示部に表示する（（４５０）参照）。
【０１４２】
この際の意思情報画面は、たとえば図２５に示すような形で表すことが出来る。
図２５は、本発明に係る共通属性情報検索装置と接続した家族端末５０のディスプレイに表示された第３の意思情報公開画面の一例を示す模式図である。この第３の意思情報公開画面１５０Ｃには、被保険者情報表示欄１５１、家族情報表示欄１５２、意思表示欄１５３と共に、介護情報公開ボタン１５５が設けられている。また、第３の意思情報登録画面１５０Ｃには、被保険者意思記録伝達サイトでの作業を終了する「終了」ボタン１５９が設けられている。したがって、介護者による介護情報を確認したい場合は、介護情報公開ボタン１５５を選択する。
【０１４３】
そうすると、家族端末５０のディスプレイに介護情報公開画面が表示される。
この介護情報公開画面は、たとえば図２６に示すような形で表すことが出来る。
図２６は、本発明に係る共通属性情報検索装置と接続した家族端末のディスプレイに表示された介護情報公開画面の一例を示す模式図である。この介護情報公開画面１７０には、被保険者情報表示欄１７１、介護環境情報表示欄１７２、介護情報表示欄１７３と共に、意思情報公開ボタン１７５が設けられている。また、介護情報公開画面１７０には、被保険者意思記録伝達サイトでの作業を終了する「終了」ボタン１７９が設けられている。図２６において、介護環境情報表示欄１７２には、非保険者の介護年月日と、介護場所と、介護した介護担当者名が、表示されている。
したがって、家族は、介護情報表示欄１７３に表示された会話内容から、被保険者の最期の様子を知ることができる。
【０１４４】
次に、上述した第４の実施の形態における方法を実施する本サーバ１０の動作の一例を、図２７を参照しながら説明する。図２７は、本発明の実施の形態に係る被保険者意思記録伝達装置での介護情報公開処理の一例を示すフローチャートである。
まず、介護情報受信部１９が、介護者端末６０より、被保険者ＩＤと、介護者が被保険者を介護した日時、介護者が介護の際に被保険者と交わした会話内容、を含む介護日誌内容を伝える介護情報と、を含む被保険者介護情報を受信したか否か判断する（Ｓ４１）。
その結果、介護情報受信部１９が、被保険者介護情報を受信した場合（Ｙ）、介護情報受信部１９は、受信した被保険者介護情報を、被保険者ＩＤと、介護情報と、を互いに関連付けて介護情報ＤＢ３に記憶する（Ｓ４２）。
その後、介護情報受信部１９は、引き続き被保険者介護情報を受信したか否か判断を繰り返し行う（Ｓ４１）。
【０１４５】
一方、介護情報受信部１９が、被保険者介護情報を受信してない場合（Ｎ）、次に、意思情報開示部１６が、被保険者意志公開要求受信部１６ａにて、家族端末５０より、家族ＩＤを含む被保険者の意思情報公開要求を受信したか否か判断する（Ｓ４３）。
その結果、意思情報開示部１６が、意思情報公開要求を受信した場合（Ｙ）、引き続き介護情報開示部２０が、被保険者ＩＤ・家族情報特定部２０ａにて、依頼情報ＤＢ１を参照して家族ＩＤに基づき被保険者ＩＤと家族情報を特定する（Ｓ４４）。
一方、意思情報開示部１６が、意思情報公開要求を受信していない場合（Ｎ）、そのまま本サーバ１０での一連の動作は終了（エンド）する。
【０１４６】
引き続き、介護情報開示部２０は、介護情報抽出部２０ｂにて、介護情報ＤＢ３を参照して特定した被保険者ＩＤに基づき介護情報を抽出する（Ｓ４５）。
そして、介護情報開示部２０は、介護情報送信部２０ｃにて、この介護情報を家族端末５０へ送信する（Ｓ４６）。
これにより、本サーバ１０での一連の動作は終了（エンド）する。
【０１４７】
以上のように本実施の形態では、被保険者を介護していた介護者と交わした会話内容を含む介護情報を表示することができる。
したがって、家族は、被保険者が亡くなった後、介護情報より、家族の知らない被保険者の最期の様子を知ることができ、被保険者の意思を改めて確認することができる。
【０１４８】
＜第５の実施の形態＞
また、本発明では、被保険者と電子メールによって会話を行う話し相手が利用する話し相手端末７０と通信ネットワークを介してさらに接続され、家族の知らない被保険者の最期の様子を知るようにすることもできる。すなわち、上述した第１の実施の形態とは、話し相手端末７０との会話情報を受信し、意思情報と共に又は意思情報に代えて、被保険者が話し相手へ伝える会話情報や、話し相手が被保険者へ伝える会話情報を閲覧可能する点が異なる。
【０１４９】
以下、その処理についての一例を図２８に基づき説明する。
図２８は、本発明の実施の形態に係る被保険者意思記録伝達方法における会話情報公開処理の流れの一例を示すシーケンス図である。
まず、被保険者端末３０は、被保険者ＩＤと、話し相手を特定する話し相手情報と、被保険者が話し相手へ伝える第１の用件情報と、を含む第１の会話情報を本サーバ１０へ送信する（（５００）参照）。
【０１５０】
この際の第１の会話情報の送信画面は、たとえば図２９に示すような形で表すことが出来る。
図２９は、本発明に係る共通属性情報検索装置と接続した被保険者端末３０のディスプレイに表示された第１の会話情報送信画面の一例を示す模式図である。この第１の会話情報送信画面１８０には、用件名を入力する件名入力欄１８１、第１の用件情報を入力する第１の用件情報入力欄１８２、第１の会話情報を伝える話し相手を特定する宛先（送信先）入力欄１８３、及び第１の会話情報の送信を指示する「送信」ボタン１８９が設けられている。また、第１の会話情報送信画面１８０には、この第１の会話情報の公開可否を指定する、公開制限有りチェックボタン１８４、及び公開制限無しチェックボタン１８５が設けられていると共に、公開制限有りの場合に公開先を指定する公開先入力欄１８６が設けられている。図２９においては、会話ごとに公開可否を指定するものとなっている。
【０１５１】
したがって、第１の会話情報送信画面１８０に示された第１の用件情報入力欄１８２に入力された第１の用件情報の公開を制限する場合は、公開制限有りチェックボタン１８４にチェックし、一方、第１の用件情報の公開を制限しない場合（すなわち、誰でも公開可の場合）は、公開制限無しチェックボタン１８５にチェックする。これにより、公開制限有りチェックボタン１８４にチェックした場合は、公開不可フラグ情報が生成され、一方、公開制限無しチェックボタン１８５にチェックした場合は、公開可フラグ情報が生成される。
【０１５２】
また、第１の用件情報の公開を制限し、さらに、公開先を指定する場合は、公開先入力欄１８６に、たとえば、公開許可家族情報を入力する。したがって、公開不可フラグ情報が生成された場合であっても、たとえば、公開先入力欄１８６に入力された公開許可家族情報にて特定される家族だけは、第１の会話情報を閲覧することが可能となる。
そして、公開制限有無指定ボタン１８４または１８５を選択した後、「送信」ボタン１８９を選択する。
これにより、公開制限情報に基づいて第１の会話情報の公開が可能となる。
【０１５３】
なお、第１の会話情報送信画面１８０においては、会話ごとに公開可否を指定するものとなっているが、話し相手単位で公開可否を指定するものとしても良い。
この際の第１の会話情報の公開制限設定画面は、たとえば図３０に示すような形で表すことが出来る。
図３０は、本発明に係る共通属性情報検索装置と接続した被保険者端末３０のディスプレイに表示された公開制限設定画面の一例を示す模式図である。この公開制限設定画面１９０には、過去に第１の会話情報を送信した話し相手情報と、この第１の会話情報の送信先情報（すなわち、話し相手の連絡先情報）としてのメールアドレスの履歴を表示する第１の会話情報送信履歴表示欄１９１と、話し相手ごとに公開可否を指定する公開制限有りチェックボタン１９２が設けられている。また、公開制限設定画面１９０には、被保険者意思記録伝達サイトでの作業を終了する「終了」ボタン１９９が設けられている。
【０１５４】
したがって、話し相手単位で第１の用件情報の公開を制限する場合は、公開制限有りチェックボタン１９２にチェックし、一方、第１の用件情報の公開を制限しない場合は、何もしない。これにより、公開制限有りチェックボタン１９２にチェックした場合は、公開不可フラグ情報が生成され、一方、公開制限無しチェックボタン１９２にチェックしない場合は、公開可フラグ情報が生成される。
そして、公開制限有無指定ボタン１９２におけるチェックを選択した後、「送信」ボタン１９９を選択する。
これによっても、公開制限情報に基づいて第１の会話情報の公開が可能となる。
【０１５５】
また、本サーバ１０は、被保険者端末３０より送信され第１の会話情報を受信する（（５１０）参照）。
引き続き本サーバ１０は、受信した第１の会話情報を、被保険者ＩＤと、話し相手情報と、第１の用件情報と、を互いに関連付けて記憶する第１の会話情報ＤＢ４に記憶する（（５２０）参照）。
さらに、本サーバ１０は、被保険者端末３０より受信した第１の会話情報を話し相手端末７０へ送信する（（５３０）参照）。
そして、話し相手端末７０は、本サーバ１０より送信され第１の会話情報を受信する（（５４０）参照）。
【０１５６】
一方、話し相手端末７０は、被保険者ＩＤと、話し相手を特定する話し相手情報と、話し相手が被保険者へ伝える第２の用件情報と、を含む第２の会話情報を本サーバ１０へ送信する（（６００）参照）。
本サーバ１０は、話し相手端末７０より送信され第２の会話情報を受信する（（６１０）参照）。
引き続き本サーバ１０は、受信した第２の会話情報を、被保険者ＩＤと、話し相手情報と、第２の用件情報と、を互いに関連付けて記憶する第２の会話情報ＤＢ５に記憶する（（６２０）参照）。
さらに、本サーバ１０は、話し相手端末７０より受信した第２の会話情報を被保険者端末３０へ送信する（（６３０）参照）。
そして、被保険者端末３０は、本サーバ１０より送信され第２の会話情報を受信する（（６４０）参照）。
【０１５７】
この際の第２の会話情報の受信画面は、たとえば図３１に示すような形で表すことが出来る。
図３１は、本発明に係る共通属性情報検索装置と接続した被保険者端末３０のディスプレイに表示された第２の会話情報受信画面の一例を示す模式図である。この第２の会話情報受信画面２００には、第２の会話情報を伝えた話し相手を特定する送信者表示欄２０１、用件名を表示する件名表示欄２０２、及び第２の用件情報を表示する第２の用件情報表示欄２０３が設けられている。
【０１５８】
なお、被保険者端末３０からの第１の会話情報の本サーバ１０へ送信（（５００）参照）、本サーバ１０での第１の会話情報の受信（（５１０）参照）・登録（（５２０）参照）、本サーバ１０より話し相手端末７０への第１の会話情報の送信（（５３０）参照）、及び話し相手端末７０の第１の会話情報の受信（（５４０）参照）は、被保険者が死亡するまで適宜繰り返される。
また、話し相手端末７０からの第２の会話情報の本サーバ１０へ送信（（６００）参照）、本サーバ１０での第２の会話情報の受信（（６１０）参照）・登録（（６２０）参照）、本サーバ１０より被保険者端末３０への第２の会話情報の送信（（５３０）参照）、及び被保険者端末３０の第２の会話情報の受信（（６４０）参照）は、被保険者が死亡するまで適宜繰り返される。
【０１５９】
その後、家族端末５０は、被保険者の残した会話情報を確認するため、家族ＩＤを含む会話情報公開要求を本サーバ１０へ送信する（（７００）参照）。
本サーバ１０は、家族端末５０より送信された会話情報公開要求を受信する（（７１０）参照）。
引き続き本サーバ１０は、依頼情報ＤＢ１を参照して家族ＩＤに基づき被保険者ＩＤを特定する（（７２０）参照）。
次いで、本サーバ１０は、第１の会話情報ＤＢ４を参照して家族ＩＤに基づき第１の会話情報を抽出する（（７３０Ａ）参照）。
さらに、本サーバ１０は、第２の会話情報ＤＢ５を参照して家族ＩＤに基づき第２の会話情報を抽出する（（７３０Ｂ）参照）。
そして、本サーバ１０は、抽出した第１の会話情報・第２の会話情報を家族端末５０へ送信する（（７４０）参照）。
【０１６０】
家族端末５０は、本サーバ１０より送信された第１の会話情報・第２の会話情報を受信し、第１の会話情報・第２の会話情報を閲覧可能なように表示部に表示する（（７５０）参照）。
【０１６１】
この際の会話情報は、たとえば意思情報公開画面を介して表示することができる。この意思情報公開画面は、たとえば図３２に示すような形で表すことが出来る。
図３２は、本発明に係る共通属性情報検索装置と接続した家族端末５０のディスプレイに表示された第４の意思情報公開画面の一例を示す模式図である。この第４の意思情報公開画面１５０Ｄには、被保険者情報表示欄１５１、家族情報表示欄１５２、意思表示欄１５３と共に、会話情報公開ボタン１５６が設けられている。また、第４の意思情報登録画面１５０Ｄには、被保険者意思記録伝達サイトでの作業を終了する「終了」ボタン１５９が設けられている。したがって、会話情報を確認したい場合は、会話情報公開ボタン１５６を選択する。
【０１６２】
そうすると、家族端末５０のディスプレイに会話情報公開画面が表示される。
この会話情報公開画面は、たとえば図３３に示すような形で表すことが出来る。
図３３は、本発明に係る共通属性情報検索装置と接続した家族端末のディスプレイに表示された会話情報公開画面の一例を示す模式図である。この会話情報公開画面２１０には、第１の会話情報における宛先と件名を示す第１の会話情報送信履歴表示欄２１１と、第２の会話情報における送信者と件名を示す第２の会話情報受信履歴表示欄２１２が設けられている。また、会話情報公開画面２１０には、被保険者意思記録伝達サイトでの作業を終了する「終了」ボタン２１９が設けられている。
【０１６３】
そして、第１の会話情報送信履歴表示欄２１１に表示された会話履歴を選択することで、宛先欄に示す話し相手との会話情報がさらに表示されると共に、第２の会話情報受信履歴表示欄２１２に表示された会話履歴を選択することで、送信者欄に示す話し相手との会話情報がさらに表示される。
【０１６４】
したがって、家族は、第１の会話情報送信履歴表示欄２１１に表示された会話履歴を選択することによって表示される第１の会話情報、又は第２の会話情報受信履歴表示欄２１２に表示された会話履歴を選択することによって表示される第２の会話情報から、被保険者の最期の様子を知ることができる。
【０１６５】
次に、上述した第５の実施の形態における方法を実施する本サーバ１０の動作の一例を、図３４を参照しながら説明する。図３４は、本発明の実施の形態に係る被保険者意思記録伝達装置での会話情報公開処理の一例を示すフローチャートである。
まず、会話情報処理部２１が第１の会話情報受信部２１ａにて、被保険者端末３０より、被保険者ＩＤと、話し相手を特定する話し相手情報と、被保険者が話し相手へ伝える第１の用件情報と、を含む第１の会話情報を受信したか否か判断する（Ｓ５１）。
その結果、会話情報処理部２１が、第１の会話情報を受信した場合（Ｙ）、会話情報処理部２１は、受信した第１の会話情報を、被保険者ＩＤと、話し相手情報と、第１の用件情報と、を互いに関連付けて第１の会話情報ＤＢ４に記憶する（Ｓ５２）。
【０１６６】
さらに、会話情報処理部２１は、第１の会話情報送信部２１ｂにて、この第１の会話情報を話し相手端末７０へ送信する（Ｓ５３）。
その後、会話情報処理部２１は、引き続き第１の会話情報を受信したか否か判断を繰り返し行う（Ｓ５１）。
【０１６７】
一方、会話情報処理部２１が、第１の会話情報を受信してない場合（Ｎ）、次に、会話情報処理部２１は、第２の会話情報受信部２１ｃにて、話し相手端末７０より、被保険者ＩＤと、話し相手情報と、話し相手が被保険者へ伝える第２の用件情報と、を含む第２の会話情報を受信したか否か判断する（Ｓ５４）。
その結果、会話情報処理部２１が、第２の会話情報を受信した場合（Ｙ）、会話情報処理部２１は、受信した第２の会話情報を、被保険者ＩＤと、話し相手情報と、第２の用件情報と、を互いに関連付けて第２の会話情報ＤＢ５に記憶する（Ｓ５５）。
【０１６８】
さらに、会話情報処理部２１は、第２の会話情報送信部２１ｄにて、この第２の会話情報を被保険者端末３０へ送信する（Ｓ５６）。
その後、会話情報処理部２１は、引き続き第２の会話情報を受信したか否か判断を繰り返し行う（Ｓ５４）。
【０１６９】
そして、公開制限情報受信部２３が、被保険者端末３０より、第１の会話情報及び第２の会話情報の公開可否又は公開先を制限する公開制限情報を受信した場合、引き続き公開制限情報処理部２４が、公開制限情報受信部２３での公開制限情報の受信に応じ、第１の会話情報に関連付けて公開制限情報を第１の会話情報ＤＢ４に記憶すると共に、第２の会話情報に関連付けて公開制限情報を第２の会話情報ＤＢ５に記憶する。
【０１７０】
一方、会話情報処理部２１が、第２の会話情報を受信してない場合（Ｎ）、次に、会話情報開示部２２が、家族端末５０より、家族ＩＤを含む会話情報公開要求を受信したか否か判断する（Ｓ５７）。
その結果、会話情報開示部２２が、会話情報公開要求を受信した場合（Ｙ）、引き続き会話情報開示部２２が、被保険者ＩＤ特定部２２ａにて、依頼情報ＤＢ１を参照して家族ＩＤに基づき被保険者ＩＤを特定する（Ｓ５８）。
一方、会話情報開示部２２が、会話情報公開要求を受信していない場合（Ｎ）、そのまま本サーバ１０での一連の動作は終了（エンド）する。
【０１７１】
引き続き、会話情報開示部２２は、第１の会話情報抽出部２２ｂにて、第１の会話情報ＤＢ４を参照して特定した被保険者ＩＤに基づき第１の会話情報を抽出すると共に、第２の会話情報抽出部２２ｃにて、第２の会話情報ＤＢ５を参照して特定した被保険者ＩＤに基づき第２の会話情報を抽出する（Ｓ５９）。
【０１７２】
この際、会話情報開示部２２では、第１の会話情報抽出部２２ｂが、第１の会話情報ＤＢ４を参照して特定した被保険者ＩＤに基づき第１の会話情報を特定すると共に、この第１の会話情報に関連付けて公開制限情報が記憶されているか否か判断し、この公開制限情報に基づいて第１の会話情報を抽出する。
また、会話情報開示部２２では、第２の会話情報抽出部２２ｃが、第２の会話情報ＤＢ５を参照して特定した被保険者ＩＤに基づき第２の会話情報を特定すると共に、この第２の会話情報に関連付けて公開制限情報が記憶されているか否か判断し、この公開制限情報に基づいて第２の会話情報を抽出する。
【０１７３】
そして、会話情報開示部２２は、会話情報送信部２２ｄにて、第１の会話情報及び第２の会話情報を家族端末５０へ送信する（Ｓ６０）。
これにより、本サーバ１０での一連の動作は終了（エンド）する。
【０１７４】
以上のように本実施の形態では、被保険者が話し相手と交わした会話内容を表示することができる。
したがって、家族は、被保険者が亡くなった後、会話情報より、家族の知らない被保険者の最期の様子を知ることができ、被保険者の意思を改めて確認することができる。
【０１７５】
以上のように本発明では、被保険者が生きているうちは、被保険者だけが被保険者意思記録伝達サイトの内容を確認することができ、残された人生の最期の時を充実できるように自分の意志を記録することができる。また、被保険者が亡くなった後は、被保険者が特定する範囲の家族だけが、被保険者が指定する公開時期に効果的に、被保険者意思記録伝達サイトに記録された被保険者の意思を確認することができる。
そして、被保険者に続いて本システムに登録した家族は、引き続き自分の意思を被保険者意思記録伝達サイトに記録し続けることも可能である。
これにより、被保険者を中心として残された家族との強い繋がりを維持し、被保険者の意思に沿って子々孫々まで力づけられるように支援することができるものとなる
【０１７６】
また、本発明においては、被保険者のＤＮＡ情報を登録しておくものとしても良い。これにより、被保険者が登録した家族の連絡先情報が変更になっていた場合、その家族のＤＮＡ情報から被保険者の意思の公開の適否を判断することができる。また、被保険者と何代も離れた子孫が自分の先祖を探し出す場合に、このＤＮＡを利用して被保険者の意思の公開の適否を判断することもできる。
【０１７７】
また、本発明では、被保険者に掛けられていた死亡保険金の一部であって、被保険者が指定する金額を所定の機関へ預けておき、被保険者が生前指定した条件をクリアした時に、預けておいた金額の一部を、意思情報の開示と共に、賞金として子孫へ分け与えるようにすることもできる。
【０１７８】
さらに、本発明では、この被保険者意思記録伝達サイトへアクセスしたことを、被保険者を偲んだ仮想墓参りと認定し、一回の仮想墓参りごとにポイントを付与し、所定のポイントが貯まったときに、預けておいた金額の一部を賞金として子孫へ分け与えるようにすることもできる。
【図面の簡単な説明】
【０１７９】
【図１】本発明の実施の形態に係る被保険者意思記録伝達装置を用いた被保険者意思記録伝達方法を実施するためのシステムの概要を示す図である。
【図２】本発明の実施の形態に係る被保険者意思記録伝達システムに用いられる被保険者意思記録伝達装置の構成の一例を簡略的に示すブロック図である。
【図３】本発明の実施の形態に係る被保険者意思記録伝達システムに用いられる被保険者意思記録伝達装置の構成の一例を詳細に示すブロック図である。
【図４】本発明の実施の形態に係る被保険者意思記録伝達装置が備える依頼情報データベースの構造を示す一例である。
【図５】本発明の実施の形態に係る被保険者意思記録伝達装置が備える伝達意思情報データベースの構造を示す一例である。
【図６】本発明の実施の形態に係る被保険者意思記録伝達装置が備える介護情報データベースの構造を示す一例である。
【図７】本発明の実施の形態に係る被保険者意思記録伝達装置が備える第１の会話情報データベースの構造を示す一例である。
【図８】本発明の実施の形態に係る被保険者意思記録伝達装置が備える第２の会話情報データベースの構造を示す一例である。
【図９】本発明の実施の形態に係る被保険者意思記録伝達方法における意志情報公開処理の流れの一例を示すシーケンス図である。
【図１０】本発明に係る共通属性情報検索装置と接続した被保険者端末又は家族端末のディスプレイに表示された被保険者意思記録伝達サイトログイン画面の一例を示す模式図である。
【図１１】本発明に係る共通属性情報検索装置と接続した被保険者端末又は家族端末のディスプレイに表示されたメニュー選択画面の一例を示す模式図である。
【図１２】本発明に係る共通属性情報検索装置と接続した被保険者端末のディスプレイに表示された意思情報登録画面の一例を示す模式図である。
【図１３】本発明に係る共通属性情報検索装置と接続した家族端末のディスプレイに表示された第１のメッセージ画面の一例を示す模式図である。
【図１４】本発明に係る共通属性情報検索装置と接続した家族端末のディスプレイに表示された家族ＩＤ通知画面の一例を示す模式図である。
【図１５】本発明に係る共通属性情報検索装置と接続した家族端末のディスプレイに表示された意思情報公開画面の一例を示す模式図である。
【図１６】本発明の実施の形態に係る被保険者意思記録伝達装置での意志情報公開処理の一例を示すフローチャートである。
【図１７】図１３に示す処理の続き一例を示すフローチャートである。
【図１８】本発明の実施の形態に係る被保険者意思記録伝達方法における家系図情報公開処理の流れの一例を示すシーケンス図である。
【図１９】本発明に係る共通属性情報検索装置と接続した家族端末のディスプレイに表示された家系図付意思情報公開画面の一例を示す模式図である。
【図２０】本発明の実施の形態に係る被保険者意思記録伝達装置での家系図情報公開処理の一例を示すフローチャートである。
【図２１】本発明の実施の形態に係る被保険者意思記録伝達方法における被保険者意志公開要求処理の流れの一例を示すシーケンス図である。
【図２２】本発明に係る共通属性情報検索装置と接続した家族端末のディスプレイに表示された第３のメッセージ画面の一例を示す模式図である。
【図２３】本発明の実施の形態に係る被保険者意思記録伝達装置での被保険者意志公開要求処理の一例を示すフローチャートである。
【図２４】本発明の実施の形態に係る被保険者意思記録伝達方法における介護情報公開処理の流れの一例を示すシーケンス図である。
【図２５】本発明に係る共通属性情報検索装置と接続した家族端末のディスプレイに表示された意思情報公開画面の一例を示す模式図である。
【図２６】本発明に係る共通属性情報検索装置と接続した家族端末のディスプレイに表示された介護情報公開画面の一例を示す模式図である。
【図２７】本発明の実施の形態に係る被保険者意思記録伝達装置での介護情報公開処理の一例を示すフローチャートである。
【図２８】本発明の実施の形態に係る被保険者意思記録伝達方法における会話情報公開処理の流れの一例を示すシーケンス図である。
【図２９】本発明に係る共通属性情報検索装置と接続した家族端末のディスプレイに表示された第１の会話情報送信画面の一例を示す模式図である。
【図３０】本発明に係る共通属性情報検索装置と接続した家族端末のディスプレイに表示された相手単位で公開可否を指定する公開制限設定画面の一例を示す模式図である。
【図３１】本発明に係る共通属性情報検索装置と接続した家族端末のディスプレイに表示された第２の会話情報受信画面の一例を示す模式図である。
【図３２】本発明に係る共通属性情報検索装置と接続した家族端末のディスプレイに表示された意思情報公開画面の一例を示す模式図である。
【図３３】本発明に係る共通属性情報検索装置と接続した家族端末のディスプレイに表示された会話情報公開画面の一例を示す模式図である。
【図３４】本発明の実施の形態に係る被保険者意思記録伝達装置での会話情報公開処理の一例を示すフローチャートである。
【符号の説明】
【０１８０】
ＤＢ１  依頼情報データベース（第１記憶手段）、ＤＢ２  伝達意思情報データベース（第２記憶手段）、ＤＢ３  介護情報データベース（第３記憶手段）、ＤＢ４  第１の会話情報データベース（第４記憶手段）、ＤＢ５  第２の会話情報データベース（第５記憶手段）、ＮＷ  通信ネットワーク、１０  被保険者意思記録伝達装置（本サーバ）、１１  依頼情報受信部、１２  伝達意思情報受信部、１３  意思伝達実行情報受信部、１４  意思開示申込情報処理部、１５  意思公開家族登録部、１６  意思情報開示部、１７  家系図情報開示部、１８  意思情報公開時期通知部、１９  会話情報受信部、２０  会話情報開示部、２１  会話情報処理部、２２  会話情報開示部、２３  公開制限情報受信部、２４  公開制限情報処理部、３０  被保険者端末、４０  保険者端末、５０  家族端末、６０  介護者端末、７０  話し相手端末。
【図１】
0005237604.tif 000002
【図２】
0005237604.tif 000003
【図３】
0005237604.tif 000004
【図４】
0005237604.tif 000005
【図５】
0005237604.tif 000006
【図６】
0005237604.tif 000007
【図７】
0005237604.tif 000008
【図８】
0005237604.tif 000009
【図９】
0005237604.tif 000010
【図１０】
0005237604.tif 000011
【図１１】
0005237604.tif 000012
【図１２】
0005237604.tif 000013
【図１３】
0005237604.tif 000014
【図１４】
0005237604.tif 000015
【図１５】
0005237604.tif 000016
【図１６】
0005237604.tif 000017
【図１７】
0005237604.tif 000018
【図１８】
0005237604.tif 000019
【図１９】
0005237604.tif 000020
【図２０】
0005237604.tif 000021
【図２１】
0005237604.tif 000022
【図２２】
0005237604.tif 000023
【図２３】
0005237604.tif 000024
【図２４】
0005237604.tif 000025
【図２５】
0005237604.tif 000026
【図２６】
0005237604.tif 000027
【図２７】
0005237604.tif 000028
【図２８】
0005237604.tif 000029
【図２９】
0005237604.tif 000030
【図３０】
0005237604.tif 000031
【図３１】
0005237604.tif 000032
【図３２】
0005237604.tif 000033
【図３３】
0005237604.tif 000034
【図３４】
0005237604.tif 000035